(57)【要約】【課題】無線接続システムにおいて２５６ＱＡＭ変調方式を支援するためのチャネル状態情報（ＣＳＩ）を送受信する方法及びこれらの方法を支援する装置を提供する。【解決手段】本発明の一実施例として、無線接続システムにおいて端末が２５６ＱＡＭ（Ｑｕａｄｒａｔｕｒｅ  Ａｍｐｌｉｔｕｄｅ  Ｍｏｄｕｌａｔｉｏｎ）のためのＣＱＩ（Ｃｈａｎｎｅｌ  Ｑｕａｌｉｔｙ  Ｉｎｄｉｃａｔｉｏｎ）インデックスを送信する方法は、一つ以上のＣＳＩサブフレーム集合に対してチャネル品質を測定するステップと、一つ以上のＣＳＩサブフレーム集合に対してそれぞれ測定されたチャネル品質に対するＣＱＩインデックスを、第１ＣＱＩテーブル又は第２ＣＱＩテーブルによって送信するステップとを有することができる。【選択図】図１７
2016530826.tif 000002
【特許請求の範囲】
【請求項１】
無線接続システムにおいて２５６ＱＡＭ（Ｑｕａｄｒａｔｕｒｅ  Ａｍｐｌｉｔｕｄｅ  Ｍｏｄｕｌａｔｉｏｎ）を支援可能な端末がＣＱＩ（Ｃｈａｎｎｅｌ  Ｑｕａｌｉｔｙ  Ｉｎｄｉｃａｔｉｏｎ）インデックスを送信する方法であって、
前記端末に構成された一つ以上のＣＳＩサブフレーム集合に対してチャネル品質を測定するステップと、
前記一つ以上のＣＳＩサブフレーム集合に対してそれぞれ測定された前記チャネル品質に対するＣＱＩインデックスを、第１ＣＱＩテーブル又は第２ＣＱＩテーブルによって送信するステップと、
を有し、
前記第１ＣＱＩテーブルは６４ＱＡＭまで支援可能であり、前記第２ＣＱＩテーブルは２５６ＱＡＭまで支援可能であり、
前記一つ以上のＣＳＩサブフレーム集合に対して前記第１ＣＱＩテーブル又は前記第２ＣＱＩテーブルがそれぞれ設定される、ＣＱＩインデックス送信方法。
【請求項２】
前記第２ＣＱＩテーブルのＣＱＩインデックス１２乃至１５は、２５６ＱＡＭを指示するために用いられ、
前記第１ＣＱＩテーブルのＣＱＩインデックス１２乃至１５は、６４ＱＡＭを指示するために用いられる、請求項１に記載のＣＱＩインデックス送信方法。
【請求項３】
前記２５６ＱＡＭの支援が可能であれば、前記端末は、前記第２ＣＱＩテーブルを用いて前記ＣＱＩインデックスを送信する、請求項２に記載のＣＱＩインデックス送信方法。
【請求項４】
前記２５６ＱＡＭの支援が可能でなければ、前記端末は、前記第１ＣＱＩテーブルを用いて前記ＣＱＩインデックスを送信する、請求項２に記載のＣＱＩインデックス送信方法。
【請求項５】
前記第１ＣＱＩテーブル及び前記第２ＣＱＩテーブルは、４ビットのサイズを有する、請求項２に記載のＣＱＩインデックス送信方法。
【請求項６】
前記第１ＣＱＩテーブル及び前記第２ＣＱＩテーブルにおいて１６ＱＡＭのためのＣＱＩインデックスの個数は同一である、請求項２に記載のＣＱＩインデックス送信方法。
【請求項７】
前記端末に構成された一つ以上のＣＳＩサブフレーム集合に対して２５６ＱＡＭが可能か否かを示す指示子を含む上位層信号を受信するステップをさらに有する、請求項２に記載のＣＱＩインデックス送信方法。
【請求項８】
前記端末は、前記第１ＣＱＩテーブル及び前記第２ＣＱＩテーブルの両方を有している、請求項２に記載のＣＱＩインデックス送信方法。
【請求項９】
無線接続システムにおいてＣＱＩ（Ｃｈａｎｎｅｌ  Ｑｕａｌｉｔｙ  Ｉｎｄｉｃａｔｉｏｎ）インデックスを送信する２５６ＱＡＭ（Ｑｕａｄｒａｔｕｒｅ  Ａｍｐｌｉｔｕｄｅ  Ｍｏｄｕｌａｔｉｏｎ）を支援可能な端末であって、
送信器と、
前記送信器を制御して２５６ＱＡＭに対するＣＱＩインデックスを送信するためのプロセッサと、
を備え、
前記プロセッサは、前記一つ以上のＣＳＩサブフレーム集合に対してチャネル品質を測定するように構成され、
前記送信器は、前記一つ以上のＣＳＩサブフレーム集合に対してそれぞれ測定された前記チャネル品質に対するＣＱＩインデックスを、第１ＣＱＩテーブル又は第２ＣＱＩテーブルによって送信するように構成され、
前記第１ＣＱＩテーブルは６４ＱＡＭまで支援可能であり、前記第２ＣＱＩテーブルは２５６ＱＡＭまで支援可能であり、
前記一つ以上のＣＳＩサブフレーム集合に対して前記第１ＣＱＩテーブル又は前記第２ＣＱＩテーブルがそれぞれ設定される、端末。
【請求項１０】
前記第２ＣＱＩテーブルのＣＱＩインデックス１２乃至１５は、２５６ＱＡＭを指示するために用いられ、
前記第１ＣＱＩテーブルのＣＱＩインデックス１２乃至１５は、６４ＱＡＭを指示するために用いられる、請求項９に記載の端末。
【請求項１１】
前記２５６ＱＡＭの支援が可能であれば、前記端末は、前記第２ＣＱＩテーブルを用いて前記ＣＱＩインデックスを送信する、請求項１０に記載の端末。
【請求項１２】
前記２５６ＱＡＭの支援が可能でなければ、前記端末は、前記第１ＣＱＩテーブルを用いて前記ＣＱＩインデックスを送信する、請求項１０に記載の端末。
【請求項１３】
前記第１ＣＱＩテーブル及び前記第２ＣＱＩテーブルは、４ビットのサイズを有する、請求項１０に記載の端末。
【請求項１４】
前記第１ＣＱＩテーブル及び前記第２ＣＱＩテーブルにおいて１６ＱＡＭのためのＣＱＩインデックスの個数は同一である、請求項１０に記載の端末。
【請求項１５】
前記受信器は、前記端末に構成された一つ以上のＣＳＩサブフレーム集合に対して２５６ＱＡＭが可能か否かを示す指示子を含む上位層信号を受信するように構成される、請求項１０に記載の端末。
【請求項１６】
前記端末は、前記第１ＣＱＩテーブル及び前記第２ＣＱＩテーブルの両方を有している、請求項１０に記載の端末。
【発明の詳細な説明】
【技術分野】
【０００１】
本発明は、無線接続システムに係り、２５６ＱＡＭ（Ｑｕａｄｒａｔｕｒｅ  Ａｍｐｌｉｔｕｄｅ  Ｍｏｄｕｌａｔｉｏｎ）変調方式を支援するためのチャネル状態情報（ＣＳＩ：Ｃｈａｎｎｅｌ  Ｓｔａｔｕｓ  Ｉｎｆｏｒｍａｔｉｏｎ）を送受信する方法及びこれらの方法を支援する装置に関する。
【背景技術】
【０００２】
無線接続システムが音声やデータなどのような種々の通信サービスを提供するために広範囲に展開されている。一般に、無線接続システムは、可用のシステムリソース（帯域幅、送信電力など）を共有して多重ユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
現在、ＬＴＥ／ＬＴＥ−ＡシステムではＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）及び６４ＱＡＭだけを変調方式として採択している。しかし、データ伝送量の増加及び無線リソースの効率的な使用のために、より一層高い変調次数を有する２５６ＱＡＭを用いることが論議されている。ただし、２５６ＱＡＭを支援するためには新しい伝送ブロックサイズが定義されなければならず、２５６ＱＡＭ変調方式を支援するための新しいＭＣＳシグナリングが定義される必要がある。また、２５６ＱＡＭの支援時にはそれに適したＣＳＩフィードバック方法を新しく定義する必要がある。
【０００４】
本発明の目的は、効率的なデータ伝送方法を提供することにある。
【０００５】
本発明の他の目的は、高い変調次数を有するデータに対するチャネル状態情報をフィードバックする方法を提供することにある。
【０００６】
本発明の更に他の目的は、これらの方法を支援する装置を提供することにある。
【０００７】
本発明で達成しようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００８】
本発明は、無線接続システムに係り、２５６ＱＡＭ変調方式を支援するためのチャネル状態情報（ＣＳＩ）を送受信する方法及びこれらの方法を支援する装置に関する。
【０００９】
本発明の一様態として、無線接続システムにおいて端末が２５６ＱＡＭ（Ｑｕａｄｒａｔｕｒｅ  Ａｍｐｌｉｔｕｄｅ  Ｍｏｄｕｌａｔｉｏｎ）のためのＣＱＩ（Ｃｈａｎｎｅｌ  Ｑｕａｌｉｔｙ  Ｉｎｄｉｃａｔｉｏｎ）インデックスを送信する方法は、端末に構成された一つ以上のＣＳＩサブフレーム集合に対して２５６ＱＡＭが可能か否かを示す指示子を含む上位層信号を受信するステップと、一つ以上のＣＳＩサブフレーム集合に対してチャネル品質を測定するステップと、一つ以上のＣＳＩサブフレーム集合に対してそれぞれ測定されたチャネル品質に対するＣＱＩインデックスを、第１ＣＱＩテーブル又は第２ＣＱＩテーブルによって送信するステップとを有することができる。ここで、第１ＣＱＩテーブルは６４ＱＡＭまで支援可能であり、第２ＣＱＩテーブルは２５６ＱＡＭまで支援可能であり、一つ以上のＣＳＩサブフレーム集合に対して第１ＣＱＩテーブル又は第２ＣＱＩテーブルがそれぞれ設定されてもよい。
【００１０】
本発明の他の様態として、無線接続システムにおいて２５６ＱＡＭ（Ｑｕａｄｒａｔｕｒｅ  Ａｍｐｌｉｔｕｄｅ  Ｍｏｄｕｌａｔｉｏｎ）のためのＣＱＩ（Ｃｈａｎｎｅｌ  Ｑｕａｌｉｔｙ  Ｉｎｄｉｃａｔｉｏｎ）インデックスを送信する端末は、送信器と、当該送信器を制御して、２５６ＱＡＭに対するＣＱＩインデックスを送信するためのプロセッサとを備えることができる。ここで、受信器は、端末に構成された一つ以上のＣＳＩサブフレーム集合に対して２５６ＱＡＭが可能か否かを示す指示子を含む上位層信号を受信するように構成され、プロセッサは、一つ以上のＣＳＩサブフレーム集合に対してチャネル品質を測定するように構成され、送信器は、一つ以上のＣＳＩサブフレーム集合に対してそれぞれ測定されたチャネル品質に対するＣＱＩインデックスを、第１ＣＱＩテーブル又は第２ＣＱＩテーブルによって送信するように構成されてもよい。ここで、第１ＣＱＩテーブルは６４ＱＡＭまで支援可能であり、第２ＣＱＩテーブルは２５６ＱＡＭまで支援可能であり、一つ以上のＣＳＩサブフレーム集合に対して第１ＣＱＩテーブル又は第２ＣＱＩテーブルがそれぞれ設定されてもよい。
【００１１】
上記の様態において、第２ＣＱＩテーブルのＣＱＩインデックス１２乃至１５は、２５６ＱＡＭを指示するために用いられ、第１ＣＱＩテーブルのＣＱＩインデックス１２乃至１５は、６４ＱＡＭを指示するために用いられてもよい。
【００１２】
仮に、２５６ＱＡＭが支援可能であれば、端末は、第２ＣＱＩテーブルを用いてＣＱＩインデックスを送信することができる。
【００１３】
仮に、２５６ＱＡＭが支援可能でなければ、端末は、第１ＣＱＩテーブルを用いてＣＱＩインデックスを送信することができる。
【００１４】
ここで、第１ＣＱＩテーブル及び第２ＣＱＩテーブルは、４ビットのサイズを有することができる。
【００１５】
また、第１ＣＱＩテーブル及び第２ＣＱＩテーブルにおいて１６ＱＡＭのためのＣＱＩインデックスの個数は同一に設定されてもよい。
【００１６】
また、端末は、第１ＣＱＩテーブル及び第２ＣＱＩテーブルの両方を有しており、用途によって選択して使用することができる。
【００１７】
上述した本発明の様態は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され、理解されるであろう。
【発明の効果】
【００１８】
本発明の実施例によれば、次のような効果が得られる。
【００１９】
第一に、チャネル状況に応じて高次変調方式を用いることによって効率的にデータを送受信することができる。
【００２０】
第二に、高い変調次数を有するデータに対するチャネル状態情報をフィードバックすることができる。
【００２１】
第三に、端末に構成されたＣＳＩサブフレーム集合別にＣＱＩテーブルをそれぞれ割り当てることによって、ＣＳＩサブフレーム集合別に異なる変調方式を適用し、セル間干渉を減らすことができる。
【００２２】
本発明の実施例から得られる効果は、以上で言及した効果に制限されず、言及していない他の効果は、以下の本発明の実施例に関する記載から、本発明の属する技術の分野における通常の知識を有する者にとって明確に導出され理解されるであろう。すなわち、本発明を実施するに上で意図していない効果も、本発明の実施例から、当該技術の分野における通常の知識を有する者によって導出可能である。
【図面の簡単な説明】
【００２３】
本発明に関する理解を助けるために詳細な説明の一部として含まれる添付の図面は、本発明に関する様々な実施例を提供する。また、添付の図面は、詳細な説明と共に本発明の実施の形態を説明するために用いられる。
【００２４】
【図１】図１は、  本発明の実施例で用いられる、物理チャネル及びそれらのチャネルを用いて信号送信方法を説明するための図である。
【００２５】
【図２】図２は、  本発明の実施例で用いられる、無線フレームの構造を示す図である。
【００２６】
【図３】図３は、  本発明の実施例で用いられる、下りリンクスロットのリソースグリッド（ｒｅｓｏｕｒｃｅ  ｇｒｉｄ）を例示する図である。
【００２７】
【図４】図４は、  本発明の実施例で用いられる、上りリンクサブフレームの構造を示す図である。
【００２８】
【図５】図５は、  本発明の実施例で用いられる、下りリンクサブフレームの構造を示す図である。
【００２９】
【図６】図６は、本発明の実施例で用いられる、一般サイクリックプレフィックス（Ｃｙｃｌｉｃ  Ｐｒｅｆｉｘ：ＣＰ）の場合におけるＰＵＣＣＨフォーマット１ａ及び１ｂを示す図である。
【図７】図７は、拡張ＣＰの場合におけるＰＵＣＣＨフォーマット１ａ及び１ｂを示す図である。
【００３０】
【図８】図８は、本発明の実施例で用いられる、一般ＣＰの場合におけるＰＵＣＣＨフォーマット２／２ａ／２ｂを示す図である。
【図９】図９は、拡張ＣＰの場合におけるＰＵＣＣＨフォーマット２／２ａ／２ｂを示す図である。
【００３１】
【図１０】図１０は、本発明の実施例で用いられる、ＰＵＣＣＨフォーマット１ａ及び１ｂに対するＡＣＫ／ＮＡＣＫチャネル化（ｃｈａｎｎｅｌｉｚａｔｉｏｎ）を説明する図である。
【００３２】
【図１１】図１１は、本発明の実施例で用いられる、同じＰＲＢ内でＰＵＣＣＨフォーマット１ａ／１ｂとフォーマット２／２ａ／２ｂとの混合された構造に対するチャネル化を示す図である。
【００３３】
【図１２】図１２は、本発明の実施例で用いられるＰＲＢ割り当てを示す図である。
【００３４】
【図１３】図１３は、本発明の実施例で用いられるコンポーネントキャリア（ＣＣ）及びＬＴＥ＿Ａシステムで用いられるキャリア結合の一例を示す図である。
【００３５】
【図１４】図１４は、本発明の実施例で用いられるクロスキャリアスケジューリングによるＬＴＥ−Ａシステムのサブフレーム構造を示す図である。
【００３６】
【図１５】図１５は、本発明の実施例で用いられる、クロスキャリアスケジューリングによるサービングセル構成の一例を示す図である。
【００３７】
【図１６】図１６は、ＣＡ  ＰＵＣＣＨの信号処理過程を例示する図である。
【００３８】
【図１７】図１７は、本発明の実施例として、上りリンクチャネルでＣＳＩを報告する方法の一例を示す図である。
【００３９】
【図１８】図１８は、本発明の実施例として、ＰＵＳＣＨでＣＳＩを報告する方法の一例を示す図である。
【００４０】
【図１９】図１９は、本発明の実施例として、ＰＵＳＣＨでＣＳＩを報告する方法の他の例を示す図である。
【００４１】
【図２０】図２０は、図１乃至図１９で説明した方法を具現するための装置を示す図である。
【発明を実施するための形態】
【００４２】
本発明の実施例は、無線接続システムに関し、２５６ＱＡＭ変調方式を支援するためのチャネル状態情報を送受信する方法及びこれらの方法を支援する装置を提供する。
【００４３】
以下の実施例は、本発明の構成要素と特徴を所定の形態で結合したものである。各構成要素又は特徴は、別の明示的な言及がない限り、選択的なものとして考慮することができる。各構成要素又は特徴は、他の構成要素や特徴と結合しない形態で実施することができる。また、一部の構成要素及び／又は特徴を結合して本発明の実施例を構成することもできる。本発明の実施例で説明する動作の順序は変更してもよい。ある実施例の一部の構成や特徴は他の実施例に含まれてもよく、又は他の実施例の対応する構成又は特徴に取り替えられてもよい。
【００４４】
図面に関する説明において、本発明の要旨を曖昧にさせうる手順又は段階などは記述を省略し、当業者のレベルで理解できるような手順又は段階も記述を省略した。
【００４５】
本明細書で、本発明の実施例は、基地局と移動局間のデータ送受信関係を中心に説明した。ここで、基地局は移動局と直接通信を行うネットワークの終端ノード（ｔｅｒｍｉｎａｌ  ｎｏｄｅ）としての意味を有する。本文書で基地局によって行われるとした特定動作は、場合によっては、基地局の上位ノード（ｕｐｐｅｒ  ｎｏｄｅ）によって行われてもよい。
【００４６】
すなわち、基地局を含む複数のネットワークノード（ｎｅｔｗｏｒｋ  ｎｏｄｅ）からなるネットワークで移動局との通信のために行われる様々な動作は、基地局又は基地局以外の他のネットワークノードによって行われてもよい。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に代えてもよい。
【００４７】
また、本発明の実施例でいう「端末（Ｔｅｒｍｉｎａｌ）」は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に代えてもよい。
【００４８】
また、送信端は、データサービス又は音声サービスを提供する固定及び／又は移動ノードを意味し、受信端は、データサービス又は音声サービスを受信する固定及び／又は移動ノードを意味する。そのため、上りリンクでは、移動局を送信端とし、基地局を受信端とすることができる。同様に、下りリンクでは、移動局を受信端とし、基地局を送信端とすることができる。
【００４９】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムのうち少なくとも一つに開示された標準文書によって裏付けることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１及び３ＧＰＰ  ＴＳ  ３６．３３１の文書によって裏付けることができる。すなわち、本発明の実施例において説明していない自明な段階又は部分は、上記の文書を参照して説明することができる。また、本文書で開示している用語はいずれも上記の標準文書によって説明することができる。
【００５０】
以下、本発明に係る好適な実施の形態を、添付の図面を参照して詳しく説明する。添付の図面と共に以下に開示される詳細な説明は、本発明の例示的な実施の形態を説明するためのもので、本発明が実施されうる唯一の実施の形態を示すためのものではない。
【００５１】
また、本発明の実施例で使われる特定用語は、本発明の理解を助けるために提供されたもので、このような特定用語の使用は、本発明の技術的思想を逸脱しない範囲で他の形態に変更してもよい。
【００５２】
例えば、ＬＴＥ／ＬＴＥ−Ａシステムで用いられるチャネル品質指示子（ＣＱＩ：Ｃｈａｎｎｅｌ  Ｑｕａｌｉｔｙ  Ｉｎｄｉｃａｔｏｒ）フィードバックテーブルは、第１ＣＱＩテーブル又はレガシーテーブルと定義し、本発明で提案する２５６ＱＡＭを支援するためのＣＱＩフィードバックテーブルは、第２ＣＱＩテーブル又はニューテーブルと定義することができる。また、ＣＳＩサブセットはＣＳＩサブフレームの集合を意味するものであり、ＣＳＩサブフレームセット又はＣＳＩサブフレーム集合と同じ意味で使われてもよい。
【００５３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに適用することができる。
【００５４】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２１、Ｅ−ＵＴＲＡ（Ｅｖｏｌｖｅｄ  ＵＴＲＡ）などのような無線技術によって具現することができる。
【００５５】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ  Ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であって、下りリンクでＯＦＤＭＡを採用し、上りリンクでＳＣ−ＦＤＭＡを採用する。ＬＴＥ−Ａ（Ａｄｖａｎｃｅｄ）システムは、３ＧＰＰ  ＬＴＥシステムの改良されたシステムである。本発明の技術的特徴に関する説明を明確にするために、本発明の実施例を３ＧＰＰ  ＬＴＥ／ＬＴＥ−Ａシステムを中心に説明するが、ＩＥＥＥ  ８０２．１６ｅ／ｍシステムなどに適用してもよい。
【００５６】
１．  ３ＧＰＰ  ＬＴＥ／ＬＴＥ＿Ａシステム
【００５７】
無線接続システムにおいて、端末は下りリンク（ＤＬ：Ｄｏｗｎｌｉｎｋ）を介して基地局から情報を受信し、上りリンク（ＵＬ：Ｕｐｌｉｎｋ）を介して基地局に情報を送信する。基地局と端末が送受信する情報は、一般データ情報及び様々な制御情報を含み、これらが送受信する情報の種類／用途によって様々な物理チャネルが存在する。
【００５８】
１．１  システム一般
【００５９】
図１は、本発明の実施例で使用できる物理チャネル及びこれらを用いた信号送信方法を説明するための図である。
【００６０】
電源が消えた状態で電源がついたり、新しくセルに進入したりした端末は、Ｓ１１段階で基地局と同期を取るなどの初期セル探索（Ｉｎｉｔｉａｌ  ｃｅｌｌ  ｓｅａｒｃｈ）作業を行う。そのために、端末は基地局から１次同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及び２次同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００６１】
その後、端末は基地局から物理放送チャネル（ＰＢＣＨ：Ｐｈｙｓｉｃａｌ  Ｂｒｏａｄｃａｓｔ  Ｃｈａｎｎｅｌ）信号を受信してセル内の放送情報を取得することができる。一方、端末は初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りチャネル状態を確認することができる。
【００６２】
初期セル探索を終えた端末は、Ｓ１２段階で、物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下り制御チャネル情報に基づく物理下り共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を受信し、より具体的なシステム情報を取得することができる。
【００６３】
その後、端末は、基地局に接続を完了するために、段階Ｓ１３乃至段階Ｓ１６のようなランダムアクセス手順（Ｒａｎｄｏｍ  Ａｃｃｅｓｓ  Ｐｒｏｃｅｄｕｒｅ）を行うことができる。そのために、端末は物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を用いてプリアンブル（ｐｒｅａｍｂｌｅ）を送信し（Ｓ１３）、物理下り制御チャネル及びこれに対応する物理下り共有チャネルを用いてプリアンブルに対する応答メッセージを受信することができる（Ｓ１４）。競合ベースのランダムアクセスでは、端末は、さらなる物理ランダムアクセスチャネル信号の送信（Ｓ１５）、及び物理下り制御チャネル信号及びこれに対応する物理下り共有チャネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００６４】
上述したような手順を行った端末は、その後、一般的な上り／下り信号送信手順として、物理下り制御チャネル信号及び／又は物理下り共有チャネル信号の受信（Ｓ１７）及び物理上り共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上り制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００６５】
端末が基地局に送信する制御情報を総称して、上り制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００６６】
ＬＴＥシステムにおいて、ＵＣＩは、一般的にＰＵＣＣＨを介して周期的に送信するが、制御情報とトラフィックデータが同時に送信されるべき場合にはＰＵＳＣＨを介して送信してもよい。また、ネットワークの要請／指示に応じてＰＵＳＣＨを介してＵＣＩを非周期的に送信してもよい。
【００６７】
図２には、本発明の実施例で用いられる無線フレームの構造を示す。
【００６８】
図２（ａ）は、タイプ１フレーム構造（ｆｒａｍｅ  ｓｔｒｕｃｔｕｒｅ  ｔｙｐｅ  １）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムと半二重（ｈａｌｆ  ｄｕｐｌｅｘ）ＦＤＤシステムの両方に適用することができる。
【００６９】
１無線フレーム（ｒａｄｉｏ  ｆｒａｍｅ）は、
【化１】
2016530826.tif 000003
の長さを有し、
【化２】
2016530826.tif 000004
の均等な長さを有し、０から１９までのインデックスが与えられた２０個のスロットで構成される。１サブフレームは、２個の連続したスロットと定義され、ｉ番目のサブフレームは、２ｉ及び２ｉ＋１に該当するスロットで構成される。すなわち、無線フレーム（ｒａｄｉｏ  ｆｒａｍｅ）は、１０個のサブフレーム（ｓｕｂｆｒａｍｅ）で構成される。１サブフレームを送信するために掛かる時間を送信時間区間（ＴＴＩ：ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは、時間領域で複数のＯＦＤＭシンボル又はＳＣ−ＦＤＭＡシンボルを含み、周波数領域で複数のリソースブロック（Ｒｅｓｏｕｒｃｅ  Ｂｌｏｃｋ）を含む。
【００７０】
１スロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは、下りリンクでＯＦＤＭＡを使用するので、ＯＦＤＭシンボルは１シンボル区間（ｓｙｍｂｏｌ  ｐｅｒｉｏｄ）を表現するためのものである。ＯＦＤＭシンボルは、１つのＳＣ−ＦＤＭＡシンボル又はシンボル区間ということができる。リソースブロック（ｒｅｓｏｕｒｃｅ  ｂｌｏｃｋ）は、リソース割当単位であって、１スロットで複数の連続した副搬送波（ｓｕｂｃａｒｒｉｅｒ）を含む。
【００７１】
全二重ＦＤＤシステムでは、各１０ｍｓ区間で１０個のサブフレームを下り送信と上り送信のために同時に利用することができる。このとき、上り送信と下り送信は周波数領域で区別される。一方、半二重ＦＤＤシステムでは、端末は送信と受信を同時に行うことができない。
【００７２】
上述した無線フレームの構造は一つの例示に過ぎず、無線フレームに含まれるサブフレームの数、サブフレームに含まれるスロットの数、又はスロットに含まれるＯＦＤＭシンボルの数は様々に変更されてもよい。
【００７３】
図２（ｂ）には、タイプ２フレーム構造（ｆｒａｍｅ  ｓｔｒｕｃｔｕｒｅ  ｔｙｐｅ  ２）を示す。タイプ２フレーム構造はＴＤＤシステムに適用される。１無線フレームは、
【化３】
2016530826.tif 000005
の長さを有し、
【化４】
2016530826.tif 000006
長さを有する２個のハーフフレーム（ｈａｌｆ−ｆｒａｍｅ）で構成される。各ハーフフレームは、
【化５】
2016530826.tif 000007
の長さを有する５個のサブフレームで構成される。ｉ番目のサブフレームは、２ｉ及び２ｉ＋１に該当する各
【化６】
2016530826.tif 000008
の長さを有する２個のスロットで構成される。ここで、Ｔｓは、サンプリング時間を表し、Ｔｓ＝１／（１５ｋＨｚ×２０４８）＝３．２５５２×１０−８（約３３ｎｓ）で表示される。
【００７４】
タイプ２フレームは、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別サブフレームを含む。ここで、ＤｗＰＴＳは、端末での初期セル探索、同期化又はチャネル推定に用いられる。ＵｐＰＴＳは、基地局でのチャネル推定と端末の上り送信同期を合わせるために用いられる。保護区間は、上りリンクと下りリンクの間に下りリンク信号の多重経路遅延によって上りリンクで生じる干渉を除去するための区間である。
【００７５】
下記の表１に、特別フレームの構成（ＤｗＰＴＳ／ＧＰ／ＵｐＰＴＳの長さ）を示す。
【００７６】
【表１】
2016530826.tif 000009
【００７７】
図３は、本発明の実施例で使用できる下りリンクスロットのリソースグリッド（ｒｅｓｏｕｒｃｅ  ｇｒｉｄ）を例示する図である。
【００７８】
図３を参照すると、１つの下りリンクスロットは、時間領域で複数のＯＦＤＭシンボルを含む。ここで、１つの下りリンクスロットは、７個のＯＦＤＭシンボルを含み、１つのリソースブロックは周波数領域で１２個の副搬送波を含むとするが、これに限定されるものではない。
【００７９】
リソースグリッド上で各要素（ｅｌｅｍｅｎｔ）をリソース要素（ｒｅｓｏｕｒｃｅ  ｅｌｅｍｅｎｔ）とし、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に依存する。上りリンクスロットの構造は、下りリンクスロットの構造と同一であってもよい。
【００８０】
図４は、本発明の実施例で使用できる上りリンクサブフレームの構造を示す。
【００８１】
図４を参照すると、上りリンクサブフレームは、周波数領域で制御領域とデータ領域とに区別される。制御領域には、上り制御情報を運ぶＰＵＣＣＨが割り当てられる。データ領域には、ユーザデータを運ぶＰＵＳＣＨが割り当てられる。単一搬送波特性を維持するために、一つの端末はＰＵＣＣＨとＰＵＳＣＨを同時に送信することがない。一つの端末に対するＰＵＣＣＨにはサブフレーム内にＲＢ対が割り当てられる。ＲＢ対に属するＲＢは、２個のスロットのそれぞれで異なる副搬送波を占める。これを、ＰＵＣＣＨに割り当てられたＲＢ対はスロット境界（ｓｌｏｔ  ｂｏｕｎｄａｒｙ）で周波数跳躍（ｆｒｅｑｕｅｎｃｙ  ｈｏｐｐｉｎｇ）するという。
【００８２】
図５は本発明の実施例で使用できる下りサブフレームの構造を示す。
【００８３】
図５を参照すると、サブフレームにおける第一のスロットでＯＦＤＭシンボルインデックス０から最大３個のＯＦＤＭシンボルが、制御チャネルが割り当てられる制御領域（ｃｏｎｔｒｏｌ  ｒｅｇｉｏｎ）であり、残りのＯＦＤＭシンボルが、ＰＤＳＣＨが割り当てられるデータ領域（ｄａｔａ  ｒｅｇｉｏｎ）である。３ＧＰＰ  ＬＴＥで用いられる下りリンク制御チャネルの例には、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００８４】
ＰＣＦＩＣＨは、サブフレームにおける最初のＯＦＤＭシンボルで送信され、サブフレーム内に制御チャネルの送信のために使われるＯＦＤＭシンボルの数（すなわち、制御領域のサイズ）に関する情報を運ぶ。ＰＨＩＣＨは、上りリンクに対する応答チャネルであって、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を運ぶ。ＰＤＣＣＨを介して送信される制御情報を下り制御情報（ＤＣＩ：ｄｏｗｎｌｉｎｋ  ｃｏｎｔｒｏｌ  ｉｎｆｏｒｍａｔｉｏｎ）という。下り制御情報は、上りリソース割当情報、下りリソース割当情報、又は任意の端末グループに対する上り送信（Ｔｘ）電力制御命令を含む。
【００８５】
１．２  ＰＤＣＣＨ（Ｐｈｙｓｉｃａｌ  Ｄｏｗｎｌｉｎｋ  Ｃｏｎｔｒｏｌ  Ｃｈａｎｎｅｌ）
【００８６】
１．２．１  ＰＤＣＣＨ一般
【００８７】
ＰＤＣＣＨは、ＤＬ−ＳＣＨ（Ｄｏｗｎｌｉｎｋ  Ｓｈａｒｅｄ  Ｃｈａｎｎｅｌ）のリソース割り当て及び送信フォーマット（すなわち、下りリンクグラント（ＤＬ−Ｇｒａｎｔ））、ＵＬ−ＳＣＨ（Ｕｐｌｉｎｋ  Ｓｈａｒｅｄ  Ｃｈａｎｎｅｌ）のリソース割り当て情報（すなわち、上りリンクグラント（ＵＬ−Ｇｒａｎｔ））、ＰＣＨ（Ｐａｇｉｎｇ  Ｃｈａｎｎｅｌ）におけるページング（ｐａｇｉｎｇ）情報、ＤＬ−ＳＣＨにおけるシステム情報、ＰＤＳＣＨで送信されるランダムアクセス応答（ｒａｎｄｏｍ  ａｃｃｅｓｓ  ｒｅｓｐｏｎｓｅ）のような上位レイヤ（ｕｐｐｅｒ−ｌａｙｅｒ）制御メッセージに対するリソース割り当て、任意の端末グループ内の個別端末に対する送信電力制御命令の集合、ＶｏＩＰ（Ｖｏｉｃｅ  ｏｖｅｒ  ＩＰ）活性化の有無に関する情報などを運ぶことができる。
【００８８】
複数のＰＤＣＣＨを制御領域内で送信することができ、端末は複数のＰＤＣＣＨをモニタすることができる。ＰＤＣＣＨは、１つ又は複数の連続したＣＣＥ（ｃｏｎｔｒｏｌ  ｃｈａｎｎｅｌ  ｅｌｅｍｅｎｔｓ）の集合（ａｇｇｒｅｇａｔｉｏｎ）で構成される。１つ又は複数の連続したＣＣＥの集合で構成されたＰＤＣＣＨは、サブブロックインターリービング（ｓｕｂｂｌｏｃｋ  ｉｎｔｅｒｌｅａｖｉｎｇ）を経た後、制御領域を通して送信することができる。ＣＣＥは、無線チャネルの状態による符号化率をＰＤＣＣＨに提供するために使われる論理的割り当て単位である。ＣＣＥは、複数のリソース要素グループ（ＲＥＧ：ｒｅｓｏｕｒｃｅ  ｅｌｅｍｅｎｔ  ｇｒｏｕｐ）に対応する。ＣＣＥの数とＣＣＥによって提供される符号化率の関係によってＰＤＣＣＨのフォーマット及び可能なＰＤＣＣＨのビット数が決定される。
【００８９】
１．２．２  ＰＤＣＣＨ構造
【００９０】
複数の端末に対する多重化された複数のＰＤＣＣＨが制御領域内で送信されてもよい。ＰＤＣＣＨは１つ又は２つ以上の連続したＣＣＥの集合（ＣＣＥ  ａｇｇｒｅｇａｔｉｏｎ）で構成される。ＣＣＥは、４個のリソース要素で構成されたＲＥＧの９個のセットに対応する単位のことを指す。各ＲＥＧには４個のＱＰＳＫ（Ｑｕａｄｒａｔｕｒｅ  Ｐｈａｓｅ  Ｓｈｉｆｔ  Ｋｅｙｉｎｇ）シンボルがマップされる。参照信号（ＲＳ：Ｒｅｆｅｒｅｎｃｅ  Ｓｉｇｎａｌ）によって占有されたリソース要素はＲＥＧに含まれない。すなわち、ＯＦＤＭシンボル内でＲＥＧの総個数は、セル特定参照信号が存在するか否かによって異なってくることがある。４個のリソース要素を１つのグループにマップするＲＥＧの概念は、他の下り制御チャネル（例えば、ＰＣＦＩＣＨ又はＰＨＩＣＨ）にも適用することができる。ＰＣＦＩＣＨ又はＰＨＩＣＨに割り当てられないＲＥＧを
【化７】
2016530826.tif 000010
とすれば、システムで利用可能なＣＣＥの個数は
【化８】
2016530826.tif 000011
であり、各ＣＣＥは０から
【化９】
2016530826.tif 000012
までのインデックスを有する。
【００９１】
端末のデコーティングプロセスを単純化するために、ｎ個のＣＣＥを含むＰＤＣＣＨフォーマットは、ｎの倍数と同じインデックスを有するＣＣＥから始まってもよい。すなわち、ＣＣＥインデックスがｉである場合、
【化１０】
2016530826.tif 000013
を満たすＣＣＥから始まってもよい。
【００９２】
基地局は１つのＰＤＣＣＨ信号を構成するために｛１，２，４，８｝個のＣＣＥを使用することができ、ここで、｛１，２，４，８｝をＣＣＥ集合レベル（ａｇｇｒｅｇａｔｉｏｎ  ｌｅｖｅｌ）と呼ぶ。特定ＰＤＣＣＨの送信のために使われるＣＣＥの個数はチャネル状態によって基地局で決定される。例えば、良子な下りチャネル状態（基地局に近接している場合）を有する端末のためのＰＤＣＣＨは、１つのＣＣＥだけで十分でありうる。一方、よくないチャネル状態（セル境界にある場合）を有する端末の場合は、８個のＣＣＥが十分な堅牢さ（ｒｏｂｕｓｔｎｅｓｓ）のために要求されることがある。しかも、ＰＤＣＣＨの電力レベルも、チャネル状態にマッチングして調節されてもよい。
【００９３】
下記の表２にＰＤＣＣＨフォーマットを示す。ＣＣＥ集合レベルによって表２のように４つのＰＤＣＣＨフォーマットが支援される。
【００９４】
【表２】
2016530826.tif 000014
【００９５】
端末ごとにＣＣＥ集合レベルが異なる理由は、ＰＤＣＣＨに乗せられる制御情報のフォーマット又はＭＣＳ（Ｍｏｄｕｌａｔｉｏｎ  ａｎｄ  Ｃｏｄｉｎｇ  Ｓｃｈｅｍｅ）レベルが異なるためである。ＭＣＳレベルは、データコーディングに用いられるコードレート（ｃｏｄｅ  ｒａｔｅ）と変調序列（ｍｏｄｕｌａｔｉｏｎ  ｏｒｄｅｒ）を意味する。適応的なＭＣＳレベルはリンク適応（ｌｉｎｋ  ａｄａｐｔａｔｉｏｎ）のために用いられる。一般に、制御情報を送信する制御チャネルでは３〜４個程度のＭＣＳレベルを考慮することができる。
【００９６】
制御情報のフォーマットを説明すると、ＰＤＣＣＨを介して送信される制御情報を下り制御情報（ＤＣＩ）という。ＤＣＩフォーマットによってＰＤＣＣＨペイロード（ｐａｙｌｏａｄ）に乗せられる情報の構成が異なることがある。ＰＤＣＣＨペイロードは、情報ビット（ｉｎｆｏｒｍａｔｉｏｎ  ｂｉｔ）を意味する。下記の表３は、ＤＣＩフォーマットによるＤＣＩを示すものである。
【００９７】
【表３−１】
2016530826.tif 000015
【表３−２】
2016530826.tif 000016
【００９８】
表３を参照すると、ＤＣＩフォーマットには、ＰＵＳＣＨスケジューリングのためのフォーマット０、１つのＰＤＳＣＨコードワードのスケジューリングのためのフォーマット１、１つのＰＤＳＣＨコードワードの簡単な（ｃｏｍｐａｃｔ）スケジューリングのためのフォーマット１Ａ、ＤＬ−ＳＣＨの非常に簡単なスケジューリングのためのフォーマット１Ｃ、閉ループ（Ｃｌｏｓｅｄ−ｌｏｏｐ）空間多重化（ｓｐａｔｉａｌ  ｍｕｌｔｉｐｌｅｘｉｎｇ）モードでＰＤＳＣＨスケジューリングのためのフォーマット２、開ループ（Ｏｐｅｎ−ｌｏｏｐ）空間多重化モードでＰＤＳＣＨスケジューリングのためのフォーマット２Ａ、上りリンクチャネルのためのＴＰＣ（Ｔｒａｎｓｍｉｓｓｉｏｎ  Ｐｏｗｅｒ  Ｃｏｎｔｒｏｌ）命令の送信のためのフォーマット３及び３Ａがある。また、多重アンテナポート送信モードでＰＵＳＣＨスケジューリングのためのＤＣＩフォーマット４が追加されている。ＤＣＩフォーマット１Ａは、端末にいずれの送信モードが設定されてもＰＤＳＣＨスケジューリングのために用いることができる。
【００９９】
ＤＣＩフォーマットによってＰＤＣＣＨペイロード長が変わることがある。また、ＰＤＣＣＨペイロードの種類とそれによる長さは、簡単な（ｃｏｍｐａｃｔ）スケジューリングであるか否か、又は端末に設定された送信モード（ｔｒａｎｓｍｉｓｓｉｏｎ  ｍｏｄｅ）などによって異なってもよい。
【０１００】
送信モードは、端末がＰＤＳＣＨを介した下りリンクデータを受信するように設定（ｃｏｎｆｉｇｕｒａｔｉｏｎ）することができる。例えば、ＰＤＳＣＨを介した下りリンクデータには、端末にスケジュールされたデータ（ｓｃｈｅｄｕｌｅｄ  ｄａｔａ）、ページング、ランダムアクセス応答、又はＢＣＣＨを介したブロードキャスト情報などがある。ＰＤＳＣＨを介した下りリンクデータは、ＰＤＣＣＨを介してシグナルされるＤＣＩフォーマットと関係がある。送信モードは、上位層シグナリング（例えば、ＲＲＣ（Ｒａｄｉｏ  Ｒｅｓｏｕｒｃｅ  Ｃｏｎｔｒｏｌ）シグナリング）によって端末に半静的に（ｓｅｍｉ−ｓｔａｔｉｃａｌｌｙ）設定することができる。送信モードは、シングルアンテナ送信（Ｓｉｎｇｌｅ  ａｎｔｅｎｎａ  ｔｒａｎｓｍｉｓｓｉｏｎ）又はマルチアンテナ（Ｍｕｌｔｉ−ａｎｔｅｎｎａ）送信と区別できる。
【０１０１】
端末は、上位層シグナリングによって半静的（ｓｅｍｉ−ｓｔａｔｉｃ）に送信モードが設定される。例えば、マルチアンテナ送信には、送信ダイバーシティ（Ｔｒａｎｓｍｉｔ  ｄｉｖｅｒｓｉｔｙ）、開ループ（Ｏｐｅｎ−ｌｏｏｐ）又は閉ループ（Ｃｌｏｓｅｄ−ｌｏｏｐ）空間多重化（Ｓｐａｔｉａｌ  ｍｕｌｔｉｐｌｅｘｉｎｇ）、ＭＵ−ＭＩＭＯ（Ｍｕｌｔｉ−ｕｓｅｒ−Ｍｕｌｔｉｐｌｅ  Ｉｎｐｕｔ  Ｍｕｌｔｉｐｌｅ  Ｏｕｔｐｕｔ）、及びビーム形成（Ｂｅａｍｆｏｒｍｉｎｇ）などがある。送信ダイバーシティは、多重送信アンテナで同一のデータを送信して送信信頼度を高める技術である。空間多重化は、多重送信アンテナで互いに異なるデータを同時に送信し、システムの帯域幅を増加させることなく高速のデータを送信できる技術である。ビーム形成は、多重アンテナでチャネル状態による加重値を与えて信号のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させる技術である。
【０１０２】
ＤＣＩフォーマットは、端末に設定された送信モードに依存する。端末は、自身に設定された送信モードによってモニタする参照（Ｒｅｆｅｒｅｎｃｅ）ＤＣＩフォーマットがある。次の通り、端末に設定される送信モードは１０個の送信モードを有することができる。
【０１０３】
・  送信モード１：単一アンテナ送信
【０１０４】
・  送信モード２：送信ダイバーシチ
【０１０５】
・  送信モード３：レイヤが１個よりも多い場合には開ループ（ｏｐｅｎ−Ｉｏｏｐ）コードブックベースのプリコーディング、ランク（ｒａｎｋ）が１である場合には送信ダイバーシチ
【０１０６】
・  送信モード４：閉ループ（ｃｌｏｓｅｄ−ｌｏｏｐ）コードブックベースのプリコーディング
【０１０７】
・  送信モード５：送信モード４バージョンの多重ユーザ（ｍｕｌｔｉ−ｕｓｅｒ）ＭＩＭＯ
【０１０８】
・  送信モード６：単一レイヤ送信と制限された特殊な場合の閉ループコードブックベースのプリコーディング
【０１０９】
・  送信モード７：単一レイヤ送信のみを支援する、コードブックに基づかないプリコーディング（ｒｅｌｅａｓｅ  ８）
【０１１０】
・  送信モード８：最大２個のレイヤまで支援する、コードブックに基づかないプリコーディング（ｒｅｌｅａｓｅ  ９）
【０１１１】
・  送信モード９：最大８個のレイヤまで支援する、コードブックに基づかないプリコーディング（ｒｅｌｅａｓｅ  １０）
【０１１２】
・  送信モード１０：最大８個のレイヤまで支援する、コードブックに基づかないプリコーディング、ＣＯＭＰ用途（ｒｅｌｅａｓｅ  １１）
【０１１３】
１．２．３  ＰＤＣＣＨ送信
【０１１４】
基地局は、端末に送信しようとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣにはＰＤＣＣＨの所有者（ｏｗｎｅｒ）や用途によって固有の識別子（例えば、ＲＮＴＩ（Ｒａｄｉｏ  Ｎｅｔｗｏｒｋ  Ｔｅｍｐｏｒａｒｙ  Ｉｄｅｎｔｉｆｉｅｒ））をマスクする。特定の端末のためのＰＤＣＣＨであれば、端末固有の識別子（例えば、Ｃ−ＲＮＴＩ（Ｃｅｌｌ−ＲＮＴＩ））をＣＲＣにマスクすることができる。又は、ページングメッセージのためのＰＤＣＣＨであれば、ページング指示識別子（例えば、Ｐ−ＲＮＴＩ（Ｐａｇｉｎｇ−ＲＮＴＩ））をＣＲＣにマスクすることができる。システム情報、より具体的にシステム情報ブロック（ｓｙｓｔｅｍ  ｉｎｆｏｒｍａｔｉｏｎ  ｂｌｏｃｋ、ＳＩＢ）のためのＰＤＣＣＨであれば、システム情報識別子（例えば、ＳＩ−ＲＮＴＩ（ｓｙｓｔｅｍ  ｉｎｆｏｒｍａｔｉｏｎ  ＲＮＴＩ））をＣＲＣにマスクすることができる。端末のランダムアクセスプリアンブルの送信に対する応答であるランダムアクセス応答を示すために、ＲＡ−ＲＮＴＩ（ｒａｎｄｏｍ  ａｃｃｅｓｓ−ＲＮＴＩ）をＣＲＣにマスクすることができる。
【０１１５】
続いて、基地局は、ＣＲＣの付加された制御情報にチャネルコーディングを行って符号化されたデータ（ｃｏｄｅｄ  ｄａｔａ）を生成する。このとき、ＭＣＳレベルによるコードレートにチャネルコーディングを行うことができる。基地局は、ＰＤＣＣＨフォーマットに割り当てられたＣＣＥ集合レベルによる伝送率マッチング（ｒａｔｅ  ｍａｔｃｈｉｎｇ）を行い、符号化されたデータを変調して変調シンボルを生成する。この時、ＭＣＳレベルによる変調序列を用いることができる。１つのＰＤＣＣＨを構成する変調シンボルは、ＣＣＥ集合レベルが１、２、４、８のいずれか一つであってもよい。その後、基地局は、変調シンボルを物理的なリソース要素にマップ（ＣＣＥ  ｔｏ  ＲＥ  ｍａｐｐｉｎｇ）する。
【０１１６】
１．２．４  ブラインドデコーディング（ＢＳ：Ｂｌｉｎｄ  Ｄｅｃｏｄｉｎｇ）
【０１１７】
一つのサブフレーム内で複数のＰＤＣＣＨが送信されてもよい。すなわち、一つのサブフレームの制御領域は、インデックス０〜
【化１１】
2016530826.tif 000017
を有する複数のＣＣＥで構成される。ここで、
【化１２】
2016530826.tif 000018
は、ｋ番目のサブフレームの制御領域内における総ＣＣＥの個数を意味する。端末は、毎サブフレームごとに複数のＰＤＣＣＨをモニタリングする。ここで、モニタリングとは、端末がモニタリングされるＰＤＣＣＨフォーマットによってＰＤＣＣＨのそれぞれのデコーディングを試みることをいう。
【０１１８】
基地局は端末にサブフレーム内に割り当てられた制御領域で該当のＰＤＣＣＨがどこに位置するかに関する情報を提供しない。端末は基地局から送信された制御チャネルを受信するために自身のＰＤＣＣＨがどの位置でどのＣＣＥ集合レベルやＤＣＩフォーマットで送信されるかを把握できず、端末は、サブフレーム内でＰＤＣＣＨ候補（ｃａｎｄｉｄａｔｅ）の集合をモニタリングして自身のＰＤＣＣＨを探す。これをブラインドデコーディング（ＢＤ）という。ブラインドデコーディングとは、端末がＣＲＣ部分に自身の端末識別子（ＵＥ  ＩＤ）をデマスキング（Ｄｅ−Ｍａｓｋｉｎｇ）した後、ＣＲＣ誤りを検討し、当該ＰＤＣＣＨが自身の制御チャネルであるか否かを確認する方法をいう。
【０１１９】
活性モード（ａｃｔｉｖｅ  ｍｏｄｅ）で端末は自身に送信されるデータを受信するために毎サブフレームのＰＤＣＣＨをモニタリングする。ＤＲＸモードで端末は毎ＤＲＸ周期のモニタリング区間で起床（ｗａｋｅ  ｕｐ）し、モニタリング区間に該当するサブフレームでＰＤＣＣＨをモニタリングする。ＰＤＣＣＨのモニタリングが行われるサブフレームをｎｏｎ−ＤＲＸサブフレームという。
【０１２０】
端末は、自身に送信されるＰＤＣＣＨを受信するためには、ｎｏｎ−ＤＲＸサブフレームの制御領域に存在する全てのＣＣＥに対してブラインドデコーディングを行わなければならない。端末は、いずれのＰＤＣＣＨフォーマットが送信されるか把握できないことから、毎ｎｏｎ−ＤＲＸサブフレーム内でＰＤＣＣＨのブラインドデコーディングに成功するまで、可能なＣＣＥ集団レベルでＰＤＣＣＨを全てデコーディングしなければならない。端末は、自身のためのＰＤＣＣＨがいくつのＣＣＥを用いるのか把握できず、ＰＤＣＣＨのブラインドデコーディングに成功するまで、可能な全てのＣＣＥ集団レベルで検出を試みなければならない。
【０１２１】
ＬＴＥシステムでは端末のブラインドデコーディングのためにサーチスペース（ＳＳ：Ｓｅａｒｃｈ  Ｓｐａｃｅ）概念を定義する。サーチスペースは、端末がモニタリングするためのＰＤＣＣＨ候補セットを意味し、各ＰＤＣＣＨフォーマットによって異なるサイズを有することができる。サーチスペースは、共用サーチスペース（ＣＳＳ：Ｃｏｍｍｏｎ  Ｓｅａｒｃｈ  Ｓｐａｃｅ）及び端末特定サーチスペース（ＵＳＳ：ＵＥ−ｓｐｅｃｉｆｉｃ／Ｄｅｄｉｃａｔｅｄ  Ｓｅａｒｃｈ  Ｓｐａｃｅ）を含むことができる。
【０１２２】
共用サーチスペースの場合、全ての端末が共用サーチスペースのサイズを認知できるが、端末特定サーチスペースは、各端末ごとに個別に設定することができる。したがって、端末は、ＰＤＣＣＨをデコーディングするために、端末特定サーチスペース及び共用サーチスペースを全てモニタリングしなければならなくて、したがって、1サブフレームで最大４４回のブラインドデコーディング（ＢＤ）を行うことになる。ここには、異なるＣＲＣ値（例えば、Ｃ−ＲＮＴＩ、Ｐ−ＲＮＴＩ、ＳＩ−ＲＮＴＩ、ＲＡ−ＲＮＴＩ）によって行うブラインドデコーディングは含まれない。
【０１２３】
サーチスペースの制約によって、与えられたサブフレーム内で基地局がＰＤＣＣＨを送信しようとする端末の全てにＰＤＣＣＨを送信するためのＣＣＥリソースが確保されない場合が発生しうる。なぜなら、ＣＣＥ位置が割り当てられて残ったリソースは、特定端末のサーチスペース内に含まれないことがある。次のサブフレームでも続き得るこのような障壁を最小化するために、端末特定跳躍（ｈｏｐｐｉｎｇ）シーケンスを端末特定サーチスペースの始点に適用することができる。
【０１２４】
表４は、共用サーチスペースと端末特定サーチスペースのサイズを示す。
【０１２５】
【表４】
2016530826.tif 000019
【０１２６】
ブラインドデコーディングを試みる回数による端末の負荷を軽減するために、端末は、定義された全てのＤＣＩフォーマットによるサーチを同時に行うわけではない。具体的に、端末は、端末特定サーチスペースで常にＤＣＩフォーマット０及び１Ａに対するサーチを行う。この時、ＤＣＩフォーマット０と１Ａは同じサイズを有するが、端末は、ＰＤＣＣＨに含まれたＤＣＩフォーマット０と１Ａを区別するために用いられるフラグ（ｆｌａｇ  ｆｏｒ  ｆｏｒｍａｔ０／ｆｏｒｍａｔ１Ａ  ｄｉｆｆｅｒｅｎｔｉａｔｉｏｎ）を用いてＤＣＩフォーマットを区別することができる。また、端末にＤＣＩフォーマット０とＤＣＩフォーマット１Ａに加えて他のＤＣＩフォーマットが要求されてもよいが、その一例としてＤＣＩフォーマット１、１Ｂ、２がある。
【０１２７】
共用サーチスペースで端末はＤＣＩフォーマット１Ａと１Ｃをサーチすることができる。また、端末はＤＣＩフォーマット３又は３Ａをサーチするように設定されてもよく、ＤＣＩフォーマット３と３Ａは、ＤＣＩフォーマット０と１Ａと同じサイズを有するが、端末は、端末特定識別子以外の識別子によってスクランブルされたＣＲＣを用いてＤＣＩフォーマットを区別することができる。
【０１２８】
サーチスペース
【化１３】
2016530826.tif 000020
は、集合レベル
【化１４】
2016530826.tif 000021
によるＰＤＣＣＨ候補セットを意味する。サーチスペースのＰＤＣＣＨ候補セット
【化１５】
2016530826.tif 000022
によるＣＣＥは、次式１によって決定することができる。
【０１２９】
【数１】
2016530826.tif 000023
【０１３０】
ここで、
【化１６】
2016530826.tif 000024
は、サーチスペースでモニターするためのＣＣＥ集合レベルＬによるＰＤＣＣＨ候補の個数を表し、
【化１７】
2016530826.tif 000025
である。
【化１８】
2016530826.tif 000026
は、各ＰＤＣＣＨ候補において個別ＣＣＥを指定するインデックスであり、
【化１９】
2016530826.tif 000027
である。
【化２０】
2016530826.tif 000028
であり、
【化２１】
2016530826.tif 000029
は、無線フレーム内でスロットインデックスを表す。
【０１３１】
上述したように、端末は、ＰＤＣＣＨをデコーディングするために端末特定サーチスペース及び共用サーチスペースの両方をモニタリングする。ここで、共用サーチスペース（ＣＳＳ）は、｛４，８｝の集合レベルを有するＰＤＣＣＨを支援し、端末特定サーチスペース（ＵＳＳ）は、｛１，２，４，８｝の集合レベルを有するＰＤＣＣＨを支援する。表５は、端末によってモニタリングされるＰＤＣＣＨ候補を表す。
【０１３２】
【表５】
2016530826.tif 000030
【０１３３】
式１を参照すると、共用サーチスペースの場合、２個の集合レベル、Ｌ＝４及びＬ＝８に対して
【化２２】
2016530826.tif 000031
は０に設定される。一方、端末特定サーチスペースの場合、集合レベルＬに対して
【化２３】
2016530826.tif 000032
は式２のように定義される。
【０１３４】
【数２】
2016530826.tif 000033
【０１３５】
ここで、
【化２４】
2016530826.tif 000034
であり、
【化２５】
2016530826.tif 000035
はＲＮＴＩ値を表す。また、
【化２６】
2016530826.tif 000036
であり、
【化２７】
2016530826.tif 000037
である。
【０１３６】
１．３ＰＵＣＣＨ（Ｐｈｙｓｉｃａｌ  Ｕｐｌｉｎｋ  Ｃｏｎｔｒｏｌ  Ｃｈａｎｎｅｌ）
【０１３７】
ＰＵＣＣＨは、上りリンク制御情報を送信するために次のフォーマットを含む。
【０１３８】
（１）フォーマット１：オン−オフキー（ＯＯＫ：Ｏｎ−Ｏｆｆ  ｋｅｙｉｎｇ）変調、スケジューリング要請（ＳＲ：Ｓｃｈｅｄｕｌｉｎｇ  Ｒｅｑｕｅｓｔ）に用いる
【０１３９】
（２）フォーマット１ａとフォーマット１ｂ：ＡＣＫ／ＮＡＣＫ送信に用いる
【０１４０】
１）フォーマット１ａ：１個のコードワードに対するＢＰＳＫ  ＡＣＫ／ＮＡＣＫ
【０１４１】
２）フォーマット１ｂ：２個のコードワードに対するＱＰＳＫ  ＡＣＫ／ＮＡＣＫ
【０１４２】
（３）フォーマット２：ＱＰＳＫ変調、ＣＱＩ送信に用いる
【０１４３】
（４）フォーマット２ａとフォーマット２ｂ：ＣＱＩ及びＡＣＫ／ＮＡＣＫの同時送信に用いる
【０１４４】
表６には、ＰＵＣＣＨフォーマットによる変調方式とサブフレーム当たりビット数を示す。表７には、ＰＵＣＣＨフォーマットによるスロット当たり参照信号の個数を示す。表８には、ＰＵＣＣＨフォーマットによる参照信号のＳＣ−ＦＤＭＡシンボル位置を示す。表１で、ＰＵＣＣＨフォーマット２ａ及び２ｂは一般ＣＰ（Ｃｙｃｌｉｃ  Ｐｒｅｆｉｘ）の場合に該当する。
【０１４５】
【表６】
2016530826.tif 000038
【０１４６】
【表７】
2016530826.tif 000039
【０１４７】
【表８】
2016530826.tif 000040
【０１４８】
図６は、一般ＣＰの場合におけるＰＵＣＣＨフォーマット１ａ及び１ｂを示する。図７は、拡張ＣＰの場合におけるＰＵＣＣＨフォーマット１ａ及び１ｂを示す図である。
【０１４９】
ＰＵＣＣＨフォーマット１ａ及び１ｂは、同じ内容の制御情報がサブフレーム内でスロット単位に反復される。各端末でＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの異なる循環シフト（ＣＳ：ｃｙｃｌｉｃ  ｓｈｉｆｔ）（周波数ドメインコード）と直交カバーコード（ＯＣ／ＯＣＣ：ｏｒｔｈｏｇｏｎａｌ  ｃｏｖｅｒ／ｏｒｔｈｏｇｏｎａｌ  ｃｏｖｅｒ  ｃｏｄｅ）（時間ドメイン拡散コード）とで構成された異なるリソースで送信される。ＯＣは、例えば、ウォルシュ（Ｗａｌｓｈ）／ＤＦＴ直交コードを含む。ＣＳの個数が６個、ＯＣの個数が３個なら、単一アンテナを基準に、総１８個の端末を１つのＰＲＢ（Ｐｈｙｓｉｃａｌ  Ｒｅｓｏｕｒｃｅ  Ｂｌｏｃｋ）内で多重化できる。直交シーケンスｗ０，ｗ１，ｗ２，ｗ３は、（ＦＦＴ変調後に）任意の時間ドメインで、又は（ＦＦＴ変調前に）任意の周波数ドメインで適用することができる。
【０１５０】
ＳＲと持続的スケジューリング（ｐｅｒｓｉｓｔｅｎｔ  ｓｃｈｅｄｕｌｉｎｇ）のために、ＣＳ、ＯＣ及びＰＲＢ（Ｐｈｙｓｉｃａｌ  Ｒｅｓｏｕｒｃｅ  Ｂｌｏｃｋ）で構成されたＡＣＫ／ＮＡＣＫリソースを、ＲＲＣ（Ｒａｄｉｏ  Ｒｅｓｏｕｒｃｅ  Ｃｏｎｔｒｏｌ）を用いて端末に与えることができる。動的ＡＣＫ／ＮＡＣＫと非持続的スケジューリング（ｎｏｎ−ｐｅｒｓｉｓｔｅｎｔ  ｓｃｈｅｄｕｌｉｎｇ）のために、ＡＣＫ／ＮＡＣＫリソースは、ＰＤＳＣＨに対応するＰＤＣＣＨの最も小さい（ｌｏｗｅｓｔ）ＣＣＥインデックスによって暗黙的に（ｉｍｐｌｉｃｉｔｌｙ）端末に与えられてもよい。
【０１５１】
表９には、ＰＵＣＣＨフォーマット１／１ａ／１ｂのための長さ４の直交シーケンス（ＯＣ）を示す。表１０には、ＰＵＣＣＨフォーマット１／１ａ／１ｂのための長さ３の直交シーケンス（ＯＣ）を示す。
【０１５２】
【表９】
2016530826.tif 000041
【０１５３】
【表１０】
2016530826.tif 000042
【０１５４】
表１１には、ＰＵＣＣＨフォーマット１ａ／１ｂでＲＳのための直交シーケンス（ＯＣ）
【化２８】
2016530826.tif 000043
を示す。
【０１５５】
【表１１】
2016530826.tif 000044
【０１５６】
図８は、一般ＣＰの場合におけるＰＵＣＣＨフォーマット２／２ａ／２ｂを示す。図９は、拡張ＣＰの場合におけるＰＵＣＣＨフォーマット２／２ａ／２ｂを示す。
【０１５７】
図８及び図９を参照すると、一般ＣＰの場合に、１つのサブフレームは、ＲＳシンボルの他、１０個のＱＰＳＫデータシンボルで構成される。それぞれのＱＰＳＫシンボルはＣＳによって周波数ドメインで拡散された後、該当のＳＣ−ＦＤＭＡシンボルにマッピングされる。ＳＣ−ＦＤＭＡシンボルレベルＣＳホッピングは、インターセル干渉をランダム化するために適用することができる。ＲＳは、循環シフトを用いてＣＤＭによって多重化することができる。例えば、可用のＣＳの個数を１２又は６と仮定すれば、同一ＰＲＢ内にそれぞれ１２又は６個の端末を多重化することができる。要するに、ＰＵＣＣＨフォーマット１／１ａ／１ｂと２／２ａ／２ｂにおいて複数の端末をＣＳ＋ＯＣ＋ＰＲＢとＣＳ＋ＰＲＢによってそれぞれ多重化することができる。
【０１５８】
図１０は、ＰＵＣＣＨフォーマット１ａ及び１ｂに対するＡＣＫ／ＮＡＣＫチャネル化（ｃｈａｎｎｅｌｉｚａｔｉｏｎ）を説明する図である。図１０は、
【化２９】
2016530826.tif 000045
の場合に該当する。
【０１５９】
図１１は、同一ＰＲＢにおいてＰＵＣＣＨフォーマット１ａ／１ｂとフォーマット２／２ａ／２ｂとが混合された構造に対するチャネル化を示す図である。
【０１６０】
循環シフト（ＣＳ：Ｃｙｃｌｉｃ  Ｓｈｉｆｔ）ホッピング（ｈｏｐｐｉｎｇ）と直交カバー（ＯＣ：Ｏｒｔｈｏｇｏｎａｌ  Ｃｏｖｅｒ）再マッピング（ｒｅｍａｐｐｉｎｇ）を、次のように適用することができる。
【０１６１】
（１）インターセル干渉（ｉｎｔｅｒ−ｃｅｌｌ  ｉｎｔｅｒｆｅｒｅｎｃｅ）のランダム化のためのシンボルベースセル特定ＣＳホッピング
【０１６２】
（２）スロットレベルＣＳ／ＯＣ再マッピング
【０１６３】
１）インターセル干渉ランダム化のために
【０１６４】
２）ＡＣＫ／ＮＡＣＫチャネルとリソース（ｋ）間のマッピングのためのスロットベース接近
【０１６５】
一方、ＰＵＣＣＨフォーマット１ａ／１ｂのためのリソース（ｎｒ）は次の組合せを含む。
【０１６６】
（１）ＣＳ（＝シンボルレベルでＤＦＴ直交コードと同一）（ｎｃｓ）
【０１６７】
（２）ＯＣ（スロットレベルで直交カバー）（ｎｏｃ）
【０１６８】
（３）周波数ＲＢ（Ｒｅｓｏｕｒｃｅ  Ｂｌｏｃｋ）（ｎｒｂ）
【０１６９】
ＣＳ、ＯＣ、ＲＢを示すインデックスをそれぞれｎｃｓ、ｎｏｃ、ｎｒｂとすれば、代表インデックス（ｒｅｐｒｅｓｅｎｔａｔｉｖｅ  ｉｎｄｅｘ）ｎｒはｎｃｓ、ｎｏｃ、ｎｒｂを含む。ｎｒは、ｎｒ＝（ｎｃｓ、ｎｏｃ、ｎｒｂ）を満たす。
【０１７０】
ＣＱＩ、ＰＭＩ、ＲＩ、及びＣＱＩとＡＣＫ／ＮＡＣＫとの組合せは、ＰＵＣＣＨフォーマット２／２ａ／２ｂで伝達することができる。リードマラー（ＲＭ：Ｒｅｅｄ  Ｍｕｌｌｅｒ）チャネルコーディングを適用することができる。
【０１７１】
例えば、ＬＴＥシステムにおいてＵＬ  ＣＱＩのためのチャネルコーディングは、次のように記述される。ビットストリーム（ｂｉｔ  ｓｔｒｅａｍ）
【化３０】
2016530826.tif 000046
は、（２０，Ａ）ＲＭコードを用いてチャネルコーディングされる。ここで、
【化３１】
2016530826.tif 000047
と
【化３２】
2016530826.tif 000048
は、ＭＳＢ（Ｍｏｓｔ  Ｓｉｇｎｉｆｉｃａｎｔ  Ｂｉｔ）とＬＳＢ（Ｌｅａｓｔ  Ｓｉｇｎｉｆｉｃａｎｔ  Ｂｉｔ）を表す。拡張ＣＰの場合、ＣＱＩとＡＣＫ／ＮＡＣＫが同時送信される場合を除いては最大情報ビットは、１１ビットである。ＲＭコードを用いて２０ビットにコーディングした後、ＱＰＳＫ変調を適用することができる。ＱＰＳＫ変調前に、コーディングされたビットはスクランブルされてもよい。
【０１７２】
表１２には、（２０，Ａ）コードのための基本シーケンスを示す。
【０１７３】
【表１２−１】
2016530826.tif 000049
【表１２−２】
2016530826.tif 000050
【０１７４】
チャネルコーディングビット
【化３３】
2016530826.tif 000051
は、下記の式３によって生成することができる。
【０１７５】
【数３】
2016530826.tif 000052
【０１７６】
ここで、ｉ＝０，１，２，…，Ｂ−１を満たす。
【０１７７】
広帯域報告（ｗｉｄｅｂａｎｄ  ｒｅｐｏｒｔｓ）の場合、ＣＱＩ／ＰＭＩのためのＵＣＩ（Ｕｐｌｉｎｋ  Ｃｏｎｔｒｏｌ  Ｉｎｆｏｒｍａｔｉｏｎ）フィールドの帯域幅は、下記の表８乃至表１０のとおりである。
【０１７８】
表１３には、広帯域報告（単一アンテナポート、送信ダイバーシチ（ｔｒａｎｓｍｉｔ  ｄｉｖｅｒｓｉｔｙ）又はオープンループ空間多重化（ｏｐｅｎ  ｌｏｏｐ  ｓｐａｔｉａｌ  ｍｕｌｔｉｐｌｅｘｉｎｇ）ＰＤＳＣＨ送信）の場合に、ＣＱＩフィードバックのためのＵＣＩフィールドを示す。
【０１７９】
【表１３】
2016530826.tif 000053
【０１８０】
表１４には、広帯域報告（閉ループ空間多重化（ｃｌｏｓｅｄ  ｌｏｏｐ  ｓｐａｔｉａｌ  ｍｕｌｔｉｐｌｅｘｉｎｇ）ＰＤＳＣＨ送信）の場合に、ＣＱＩ及びＰＭＩフィードバックのためのＵＣＩフィールドを示す。
【０１８１】
【表１４】
2016530826.tif 000054
【０１８２】
表１５には、広帯域報告の場合、ＲＩフィードバックのためのＵＣＩフィールドを示す。
【０１８３】
【表１５】
2016530826.tif 000055
【０１８４】
図１２は、ＰＲＢ割り当てを示す図である。図２０に示すように、ＰＲＢは、スロットｎｓでＰＵＣＣＨ送信のために用いることができる。
【０１８５】
３．  キャリア結合（ＣＡ：Ｃａｒｒｉｅｒ  Ａｇｇｒｅｇａｔｉｏｎ）環境
【０１８６】
３．１  ＣＡ一般
【０１８７】
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；Ｒｅｌ−８又はＲｅｌ−９）システム（以下、ＬＴＥシステム）は、単一コンポーネントキャリア（ＣＣ：Ｃｏｍｐｏｎｅｎｔ  Ｃａｒｒｉｅｒ）を複数の帯域に分割して使用する多重搬送波変調（ＭＣＭ：Ｍｕｌｔｉ−Ｃａｒｒｉｅｒ  Ｍｏｄｕｌａｔｉｏｎ）方式を用いる。しかし、３ＧＰＰ  ＬＴＥ−Ａｄｖａｎｃｅｄシステム（以下、ＬＴＥ−Ａシステム）では、ＬＴＥシステムに比べて広帯域のシステム帯域幅を支援するために、一つ以上のコンポーネントキャリアを結合して使用するキャリア結合（ＣＡ：Ｃａｒｒｉｅｒ  Ａｇｇｒｅｇａｔｉｏｎ）のような方法を用いることができる。キャリア結合は、搬送波集成、搬送波整合、マルチコンポーネントキャリア環境（Ｍｕｌｔｉ−ＣＣ）、又はマルチキャリア環境と呼ぶこともできる。
【０１８８】
本発明でマルチキャリアはキャリアの結合（又は、搬送波集成）を意味し、この場合、キャリアの結合は、隣接した（ｃｏｎｔｉｇｕｏｕｓ）キャリア間の結合だけでなく、非隣接した（ｎｏｎ−ｃｏｎｔｉｇｕｏｕｓ）キャリア間の結合も意味する。また、下りリンクと上りリンクにおいて集成されるコンポーネントキャリアの数を異なるように設定してもよい。下りリンクコンポーネントキャリア（以下、‘ＤＬ  ＣＣ’という。）数と上りリンクコンポーネントキャリア（以下、‘ＵＬ  ＣＣ’という。）数とが一致する場合を対称的（ｓｙｍｍｅｔｒｉｃ）結合といい、両者の数が異なる場合を非対称的（ａｓｙｍｍｅｔｒｉｃ）結合という。このようなキャリア結合は、搬送波集成、帯域幅集成（ｂａｎｄｗｉｄｔｈ  ａｇｇｒｅｇａｔｉｏｎ）、スペクトラム集成（ｓｐｅｃｔｒｕｍ  ａｇｇｒｅｇａｔｉｏｎ）などのような用語に言い換えてもよい。
【０１８９】
２つ以上のコンポーネントキャリアが結合して構成されるキャリア結合は、ＬＴＥ−Ａシステムでは１００ＭＨｚ帯域幅まで支援することを目標とする。目標帯域よりも小さい帯域幅を有する１個以上のキャリアを結合するとき、結合するキャリアの帯域幅は、既存ＩＭＴシステムとの互換性（ｂａｃｋｗａｒｄ  ｃｏｍｐａｔｉｂｉｌｉｔｙ）維持のために、既存システムで使用する帯域幅に制限することができる。
【０１９０】
例えば、既存の３ＧＰＰ  ＬＴＥシステムでは、｛１．４、３、５、１０、１５、２０｝ＭＨｚ帯域幅を支援し、３ＧＰＰ  ＬＴＥ−ａｄｖａｎｃｅｄシステム（すなわち、ＬＴＥ−Ａ）では、既存システムとの互換のために、それらの帯域幅のみを用いて２０ＭＨｚよりも大きい帯域幅を支援するようにすることができる。また、本発明で用いられるキャリア結合システムは、既存システムで用いる帯域幅にかかわらず、新しい帯域幅を定義してキャリア結合を支援するようにすることもできる。
【０１９１】
また、このようなキャリア結合は、イントラ−バンドＣＡ（Ｉｎｔｒａ−ｂａｎｄ  ＣＡ）とインター−バンドＣＡ（Ｉｎｔｅｒ−ｂａｎｄ  ＣＡ）とに区別できる。イントラ−バンドキャリア結合とは、複数のＤＬ  ＣＣ及び／又はＵＬ  ＣＣが周波数上で隣接したり近接して位置することを意味する。言い換えると、ＤＬ  ＣＣ及び／又はＵＬ  ＣＣのキャリア周波数が同じバンド内に位置することを意味できる。一方、周波数領域において遠く離れている環境をインター−バンドＣＡ（Ｉｎｔｅｒ−Ｂａｎｄ  ＣＡ）と呼ぶことができる。言い換えると、複数のＤＬ  ＣＣ及び／又はＵＬ  ＣＣのキャリア周波数が、互いに異なるバンドに位置することを意味できる。この場合、端末は、キャリア結合環境における通信を行うために、複数のＲＦ（ｒａｄｉｏ  ｆｒｅｑｕｅｎｃｙ）端を使用することができる。
【０１９２】
ＬＴＥ−Ａシステムは、無線リソースを管理するためにセル（ｃｅｌｌ）の概念を用いる。上述したキャリア結合環境は、多重セル（ｍｕｌｔｉｐｌｅ  ｃｅｌｌｓ）環境と呼ぶことができる。セルは、下りリンクリソース（ＤＬ  ＣＣ）及び上りリンクリソース（ＵＬ  ＣＣ）の組合せと定義されるか、上りリンクリソースは必須要素ではない。このため、セルは、下りリンクリソース単独、又は下りリンクリソース及び上りリンクリソースの両者で構成することができる。
【０１９３】
例えば、特定端末が、１個の設定されたサービングセル（ｃｏｎｆｉｇｕｒｅｄ  ｓｅｒｖｉｎｇ  ｃｅｌｌ）を有する場合、１個のＤＬ  ＣＣと１個のＵＬ  ＣＣを有することができるが、特定端末が２個以上の設定されたサービングセルを有する場合には、セルの数だけのＤＬ  ＣＣを有し、ＵＬ  ＣＣの数はそれと同数又は小さい数であってもよい。又は、これと逆にＤＬ  ＣＣとＵＬ  ＣＣが構成されてもよい。すなわち、特定端末が複数の設定されたサービングセルを有する場合、ＤＬ  ＣＣの数よりもＵＬ  ＣＣが多いキャリア結合環境が支援されてもよい。
【０１９４】
また、キャリア結合（ＣＡ）は、それぞれのキャリア周波数（セルの中心周波数）が異なる２つ以上のセルの結合と理解されてもよい。ここでいう‘セル（Ｃｅｌｌ）’は、一般的に使われる、基地局のカバーする地理的領域としての‘セル’とは区別されなければならない。以下、上述したイントラ−バンドキャリア結合をイントラ−バンド多重セルといい、インター−バンドキャリア結合をインター−バンド多重セルという。
【０１９５】
ＬＴＥ−Ａシステムで用いられるセルは、プライマリセル（ＰＣｅｌｌ：Ｐｒｉｍａｒｙ  Ｃｅｌｌ）及びセカンダリセル（ＳＣｅｌｌ：Ｓｅｃｏｎｄａｒｙ  Ｃｅｌｌ）を含む。ＰセルとＳセルはサービングセル（Ｓｅｒｖｉｎｇ  Ｃｅｌｌ）として用いることができる。ＲＲＣ＿ＣＯＮＮＥＣＴＥＤ状態にあるが、キャリア結合が設定されていないか又はキャリア結合を支援しない端末の場合、Ｐセルのみで構成されたサービングセルが１つのみ存在する。一方、ＲＲＣ＿ＣＯＮＮＥＣＴＥＤ状態であるとともに、キャリア結合が設定されている端末の場合、一つ以上のサービングセルが存在してもよく、全体サービングセルにはＰセルと一つ以上のＳセルが含まれる。
【０１９６】
サービングセル（ＰセルとＳセル）は、ＲＲＣパラメータを用いて設定することができる。ＰｈｙｓＣｅｌｌＩｄは、セルの物理層識別子であって、０から５０３までの整数値を有する。ＳＣｅｌｌＩｎｄｅｘは、Ｓセルを識別するために使われる簡略な（ｓｈｏｒｔ）識別子であって、１から７までの整数値を有する。ＳｅｒｖＣｅｌｌＩｎｄｅｘは、サービングセル（Ｐセル又はＳセル）を識別するために使われる簡略な（ｓｈｏｒｔ）識別子であって、０から７までの整数値を有する。０値はＰセルに適用され、ＳＣｅｌｌＩｎｄｅｘはＳセルに適用するためにあらかじめ与えられる。すなわち、ＳｅｒｖＣｅｌｌＩｎｄｅｘにおいて最も小さいセルＩＤ（又はセルインデックス）を有するセルがＰセルとなる。
【０１９７】
Ｐセルはプライマリ周波数（又は、ｐｒｉｍａｒｙ  ＣＣ）上で動作するセルを意味する。端末が初期接続設定（ｉｎｉｔｉａｌ  ｃｏｎｎｅｃｔｉｏｎ  ｅｓｔａｂｌｉｓｈｍｅｎｔ）過程を行ったり、接続再−設定過程を行うために用いられてもよく、ハンドオーバー過程で指示されたセルのことを指してもよい。また、Ｐセルは、キャリア結合環境で設定されたサービングセルのうち、制御関連通信の中心となるセルを意味する。すなわち、端末は、自身のＰセルでのみＰＵＣＣＨ割り当てを受けて送信することができ、システム情報を取得したり、モニタリング手順を変更する時にＰセルのみを用いることができる。Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）は、キャリア結合環境を支援する端末に対して、移動性制御情報（ｍｏｂｉｌｉｔｙＣｏｎｔｒｏｌＩｎｆｏ）を含む上位層のＲＲＣ接続再設定（ＲＲＣＣｏｎｎｅｃｔｉｏｎＲｅｃｏｎｆｉｇｕｔａｉｏｎ）メッセージを用いてハンドオーバー手順のためにＰセルのみを変更することもできる。
【０１９８】
Ｓセルはセカンダリ周波数（又は、Ｓｅｃｏｎｄａｒｙ  ＣＣ）上で動作するセルを意味できる。特定端末にＰセルは１一つのみ割り当てられ、Ｓセルは１つ以上割り当てられてもよい。Ｓセルは、ＲＲＣ接続設定がなされた後に構成可能であり、追加の無線リソースを提供するために用いることができる。キャリア結合環境で設定されたサービングセルにおいてＰセル以外のセル、すなわち、ＳセルにはＰＵＣＣＨが存在しない。
【０１９９】
Ｅ−ＵＴＲＡＮは、Ｓセルをキャリア結合環境を支援する端末に追加する時、ＲＲＣ＿ＣＯＮＮＥＣＴＥＤ状態にある関連したセルの動作に関する全てのシステム情報を特定シグナル（ｄｅｄｉｃａｔｅｄ  ｓｉｇｎａｌ）を用いて提供することができる。システム情報の変更は、関連したＳセルの解除及び追加によって制御することができ、このとき、上位層のＲＲＣ接続再設定（ＲＲＣＣｏｎｎｅｃｔｉｏｎＲｅｃｏｎｆｉｇｕｔａｉｏｎ）メッセージを用いることができる。Ｅ−ＵＴＲＡＮは、関連したＳセル内でブロードキャストするよりは、端末別に異なるパラメータを有する特定シグナリング（ｄｅｄｉｃａｔｅｄ  ｓｉｇｎａｌｉｎｇ）をすればよい。
【０２００】
初期保安活性化過程が始まった後に、Ｅ−ＵＴＲＡＮは、接続設定過程で初期に構成されるＰセルに加えて一つ以上のＳセルを含むネットワークを構成することができる。キャリア結合環境でＰセル及びＳセルはそれぞれのコンポーネントキャリアとして動作することができる。以下の実施例では、プライマリコンポーネントキャリア（ＰＣＣ）はＰセルと同じ意味で使われ、セカンダリコンポーネントキャリア（ＳＣＣ）はＳセルと同じ意味で使われてもよい。
【０２０１】
図１３は、コンポーネントキャリア（ＣＣ）、及びＬＴＥ＿Ａシステムで用いられるキャリア結合の一例を示す図である。
【０２０２】
図１３（ａ）は、ＬＴＥシステムで用いられる単一キャリア構造を示す。コンポーネントキャリアにはＤＬ  ＣＣとＵＬ  ＣＣがある。一つのコンポーネントキャリアは２０ＭＨｚの周波数範囲を有することができる。
【０２０３】
図１３（ｂ）は、ＬＴＥ＿Ａシステムで用いられるキャリア結合構造を示す。図１３（ｂ）では、２０ＭＨｚの周波数サイズを有する３個のコンポーネントキャリアが結合された場合を示している。ＤＬ  ＣＣとＵＬ  ＣＣがそれぞれ３個ずつあるが、ＤＬ  ＣＣとＵＬ  ＣＣの個数に制限があるわけではない。キャリア結合の場合、端末は３個のＣＣを同時にモニタリングすることができ、下りリンク信号／データを受信することができ、上りリンク信号／データを送信することができる。
【０２０４】
仮に、特定セルでＮ個のＤＬ  ＣＣが管理される場合には、ネットワークは、端末にＭ（Ｍ≦Ｎ）個のＤＬ  ＣＣを割り当てることができる。この時、端末はＭ個の制限されたＤＬ  ＣＣのみをモニタリングしてＤＬ信号を受信することができる。また、ネットワークはＬ（Ｌ≦Ｍ≦Ｎ）個のＤＬ  ＣＣに優先順位を与えて主なＤＬ  ＣＣを端末に割り当てることもでき、この場合、ＵＥはＬ個のＤＬ  ＣＣは必ずモニタリングしなければならない。この方式は上りリンク送信にも同一に適用されてもよい。
【０２０５】
下りリンクリソースの搬送波周波数（又はＤＬ  ＣＣ）と上りリンクリソースの搬送波周波数（又は、ＵＬ  ＣＣ）とのリンケージ（ｌｉｎｋａｇｅ）は、ＲＲＣメッセージのような上位層メッセージやシステム情報で示すことができる。例えば、ＳＩＢ２（Ｓｙｓｔｅｍ  Ｉｎｆｏｒｍａｔｉｏｎ  Ｂｌｏｃｋ  Ｔｙｐｅ２）によって定義されるリンケージによってＤＬリソースとＵＬリソースとの組合せを構成することができる。具体的に、リンケージは、ＵＬグラントを運ぶＰＤＣＣＨが送信されるＤＬ  ＣＣと該ＵＬグラントを用いるＵＬ  ＣＣとのマッピング関係を意味することができ、ＨＡＲＱのためのデータが送信されるＤＬ  ＣＣ（又はＵＬ  ＣＣ）とＨＡＲＱ  ＡＣＫ／ＮＡＣＫ信号が送信されるＵＬ  ＣＣ（又はＤＬ  ＣＣ）とのマッピング関係を意味することもできる。
【０２０６】
３．２  クロスキャリアスケジューリング（Ｃｒｏｓｓ  Ｃａｒｒｉｅｒ  Ｓｃｈｅｄｕｌｉｎｇ）
【０２０７】
キャリア結合システムには、キャリア（又は搬送波）又はサービングセル（Ｓｅｒｖｉｎｇ  Ｃｅｌｌ）に対するスケジューリング観点で、自己スケジューリング（Ｓｅｌｆ−Ｓｃｈｅｄｕｌｉｎｇ）方法及びクロスキャリアスケジューリング（Ｃｒｏｓｓ  Ｃａｒｒｉｅｒ  Ｓｃｈｅｄｕｌｉｎｇ）方法がある。クロスキャリアスケジューリングは、クロスコンポーネントキャリアスケジューリング（Ｃｒｏｓｓ  Ｃｏｍｐｏｎｅｎｔ  Ｃａｒｒｉｅｒ  Ｓｃｈｅｄｕｌｉｎｇ）又はクロスセルスケジューリング（Ｃｒｏｓｓ  Ｃｅｌｌ  Ｓｃｈｅｄｕｌｉｎｇ）と呼ぶこともできる。
【０２０８】
自己スケジューリングは、ＰＤＣＣＨ（ＤＬ  Ｇｒａｎｔ）とＰＤＳＣＨが同一ＤＬ  ＣＣで送信されたり、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣで送信されることを意味する。
【０２０９】
クロスキャリアスケジューリングは、ＰＤＣＣＨ（ＤＬグラント）とＰＤＳＣＨがそれぞれ異なるＤＬ  ＣＣで送信されたり、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣ以外のＵＬ  ＣＣで送信されることを意味する。
【０２１０】
クロスキャリアスケジューリングは、端末特定（ＵＥ−ｓｐｅｃｉｆｉｃ）に活性化又は非活性化することができ、上位層シグナリング（例えば、ＲＲＣシグナリング）用いて半静的（ｓｅｍｉ−ｓｔａｔｉｃ）に各端末に対して知らせることができる。
【０２１１】
クロスキャリアスケジューリングが活性化された場合、ＰＤＣＣＨには、該ＰＤＣＣＨが示すＰＤＳＣＨ／ＰＵＳＣＨがどのＤＬ／ＵＬ  ＣＣで送信されるかを知らせるキャリア指示子フィールド（ＣＩＦ：Ｃａｒｒｉｅｒ  Ｉｎｄｉｃａｔｏｒ  Ｆｉｅｌｄ）が必要である。例えば、ＰＤＣＣＨは、ＰＤＳＣＨリソース又はＰＵＳＣＨリソースをＣＩＦを用いて複数のコンポーネントキャリアのうちの一つに割り当てることができる。すなわち、ＤＬ  ＣＣ上のＰＤＣＣＨが多重集成されたＤＬ／ＵＬ  ＣＣのうちの一つにＰＤＳＣＨ又はＰＵＳＣＨリソースを割り当てる場合にＣＩＦが設定される。この場合、ＬＴＥ  Ｒｅｌｅａｓｅ−８のＤＣＩフォーマットはＣＩＦによって拡張されてもよい。このとき、設定されたＣＩＦは、３ビットフィールドに固定されてもよく、設定されたＣＩＦの位置はＤＣＩフォーマットサイズに関係なく固定されてもよい。また、ＬＴＥ  Ｒｅｌｅａｓｅ−８のＰＤＣＣＨ構造（同一のコーディング及び同一のＣＣＥベースのリソースマッピング）を再使用してもよい。
【０２１２】
一方、ＤＬ  ＣＣ上のＰＤＣＣＨが同ＤＬ  ＣＣ上のＰＤＳＣＨリソースを割り当てたり、単一リンクされたＵＬ  ＣＣ上のＰＵＳＣＨリソースを割り当てる場合には、ＣＩＦが設定されない。この場合、ＬＴＥ  Ｒｅｌｅａｓｅ−８と同じＰＤＣＣＨ構造（同一のコーディング及び同一のＣＣＥベースのリソースマッピング）とＤＣＩフォーマットが用いられてもよい。
【０２１３】
クロスキャリアスケジューリングが可能な場合、端末はＣＣ別送信モード及び／又は帯域幅によってモニタリングＣＣの制御領域で複数のＤＣＩに対するＰＤＣＣＨをモニタリングする必要がある。このため、これを支援できる検索空間の構成とＰＤＣＣＨモニタリングが必要である。
【０２１４】
キャリア結合システムにおいて、端末ＤＬ  ＣＣ集合は、端末がＰＤＳＣＨを受信するようにスケジュールされたＤＬ  ＣＣの集合を指し、端末ＵＬ  ＣＣ集合は、端末がＰＵＳＣＨを送信するようにスケジュールされたＵＬ  ＣＣの集合を指す。また、ＰＤＣＣＨモニタリング集合（ｍｏｎｉｔｏｒｉｎｇ  ｓｅｔ）は、ＰＤＣＣＨモニタリングを行う少なくとも一つのＤＬ  ＣＣの集合を意味する。ＰＤＣＣＨモニタリング集合は、端末ＤＬ  ＣＣ集合と同一であってもよく、端末ＤＬ  ＣＣ集合の副集合（ｓｕｂｓｅｔ）であってもよい。ＰＤＣＣＨモニタリング集合は、端末ＤＬ  ＣＣ集合におけるＤＬ  ＣＣの少なくとも一つを含むことができる。又は、ＰＤＣＣＨモニタリング集合は、端末ＤＬ  ＣＣ集合とは別個に定義されてもよい。ＰＤＣＣＨモニタリング集合に含まれるＤＬ  ＣＣは、リンクされたＵＬ  ＣＣに対する自己スケジューリング（ｓｅｌｆ−ｓｃｈｅｄｕｌｉｎｇ）は常に可能なように設定することができる。このような、端末ＤＬ  ＣＣ集合、端末ＵＬ  ＣＣ集合及びＰＤＣＣＨモニタリング集合は、端末特定（ＵＥ−ｓｐｅｃｉｆｉｃ）、端末グループ特定（ＵＥ  ｇｒｏｕｐ−ｓｐｅｃｉｆｉｃ）又はセル特定（Ｃｅｌｌ−ｓｐｅｃｉｆｉｃ）に設定することができる。
【０２１５】
クロスキャリアスケジューリングが非活性化された場合には、ＰＤＣＣＨモニタリング集合が常に端末ＤＬ  ＣＣ集合と同一であるということを意味し、このような場合にはＰＤＣＣＨモニタリング集合に対する別のシグナリングのような指示が必要でない。しかし、クロスキャリアスケジューリングが活性化された場合には、ＰＤＣＣＨモニタリング集合が端末ＤＬ  ＣＣ集合内で定義されることが好ましい。すなわち、端末に対してＰＤＳＣＨ又はＰＵＳＣＨをスケジューリングするために、基地局はＰＤＣＣＨモニタリング集合のみを通じてＰＤＣＣＨを送信する。
【０２１６】
図１４は、本発明の実施例で用いられるクロスキャリアスケジューリングによるＬＴＥ−Ａシステムのサブフレーム構造を示す図である。
【０２１７】
図１４を参照すると、ＬＴＥ−Ａ端末のためのＤＬサブフレームは、３個の下りリンクコンポーネントキャリア（ＤＬ  ＣＣ）が結合されており、ＤＬ  ＣＣ  ‘Ａ’はＰＤＣＣＨモニタリングＤＬ  ＣＣとして設定された場合を示す。ＣＩＦが使用されない場合、各ＤＬ  ＣＣはＣＩＦ無しで自身のＰＤＳＣＨをスケジューリングするＰＤＣＣＨを送信することができる。一方、ＣＩＦが上位層シグナリングによって使用される場合には、一つのＤＬ  ＣＣ  ‘Ａ’のみがＣＩＦを用いて自身のＰＤＳＣＨ又は他のＣＣのＰＤＳＣＨをスケジューリングするＰＤＣＣＨを送信することができる。この時、ＰＤＣＣＨモニタリングＤＬ  ＣＣとして設定されていないＤＬ  ＣＣ  ‘Ｂ’及び‘Ｃ’はＰＤＣＣＨを送信しない。
【０２１８】
図１５は、本発明の実施例で用いられるクロスキャリアスケジューリングによるサービングセル構成の一例を示す図である。
【０２１９】
キャリア結合（ＣＡ）を支援する無線接続システムでは基地局及び／又は端末を一つ以上のサービングセルで構成することができる。図１５で、基地局は、Ａセル、Ｂセル、Ｃセル及びＤセルの総４個のサービングセルを支援することができ、端末ＡはＡセル、Ｂセル及びＣセルで構成され、端末ＢはＢセル、Ｃセル及びＤセルで構成され、端末ＣはＢセルで構成された場合を仮定する。ここで、各端末に構成されたセルのうち少なくとも一つをＰセルとして設定することができる。この時、Ｐセルは常に活性化された状態であり、Ｓセルは基地局及び／又は端末によって活性化又は非活性化されてもよい。
【０２２０】
図１５で、構成されたセルは、基地局のセルのうち、端末からの測定報告（ｍｅａｓｕｒｅｍｅｎｔ  ｒｅｐｏｒｔ）メッセージに基づいてＣＡにセル追加が可能なセルであって、端末別に設定可能である。構成されたセルは、ＰＤＳＣＨ信号送信に対するＡＣＫ／ＮＡＣＫメッセージの送信のためのリソースをあらかじめ予約しておく。活性化されたセル（Ａｃｔｉｖａｔｅｄ  ｃｅｌｌ）は、構成されたセルのうち、実際にＰＤＳＣＨ信号及び／又はＰＵＳＣＨ信号を送信するように設定されたセルであり、ＣＳＩ報告及びＳＲＳ（Ｓｏｕｎｄｉｎｇ  Ｒｅｆｅｒｅｎｃｅ  Ｓｉｇｎａｌ）送信を行う。非活性化されたセル（Ｄｅ−Ａｃｔｉｖａｔｅｄ  ｃｅｌｌ）は、基地局の命令又はタイマー動作によってＰＤＳＣＨ／ＰＵＳＣＨ信号の送受信を行わないように構成されるセルであって、ＣＳＩ報告及びＳＲＳ送信も中断される。
【０２２１】
３．３  ＣＡ  ＰＵＣＣＨ（Ｃａｒｒｉｅｒ  Ａｇｇｒｅｇａｔｉｏｎ  Ｐｈｙｓｉｃａｌ  Ｕｐｌｉｎｋ  Ｃｏｎｔｒｏｌ  Ｃｈａｎｎｅｌ）
【０２２２】
キャリア結合を支援する無線通信システムにおいてＵＣＩ（例、多重ＡＣＫ／ＮＡＣビット）をフィードバックするためのＰＵＣＣＨフォーマットを定義することができる。以下、説明の便宜のために、このようなＰＵＣＣＨのフォーマットをＣＡ  ＰＵＣＣＨフォーマットと呼ぶ。
【０２２３】
図１６は、ＣＡ  ＰＵＣＣＨの信号処理過程を例示する図である。
【０２２４】
図１６を参照すると、チャネルコーディングブロック（ｃｈａｎｎｅｌ  ｃｏｄｉｎｇ  ｂｌｏｃｋ）は、情報ビットａ＿０，ａ＿１，…，ａ＿Ｍ−１（例、多重ＡＣＫ／ＮＡＣＫビット）をチャネルコーディングしてコーディングビット（ｅｎｃｏｄｅｄ  ｂｉｔ，ｃｏｄｅｄ  ｂｉｔ  ｏｒ  ｃｏｄｉｎｇ  ｂｉｔ）（又は、コードワード）ｂ＿０，ｂ＿１，…，ｂ＿Ｎ−１を生成する。Ｍは情報ビットのサイズを表し、Ｎはコーディングビットのサイズを表す。情報ビットは、上りリンク制御情報（ＵＣＩ）、例えば、複数の下りリンクコンポーネントキャリアで受信した複数のデータ（又はＰＤＳＣＨ）に対する多重ＡＣＫ／ＮＡＣＫを含む。ここで、情報ビットａ＿０，ａ＿１，…，ａ＿Ｍ−１は、情報ビットを構成するＵＣＩの種類／個数／サイズにかかわらずにジョイントコーディングされる。例えば、情報ビットが複数の下りリンクコンポーネントキャリアに対する多重ＡＣＫ／ＮＡＣＫを含む場合、チャネルコーディングは、下りリンクコンポーネントキャリア別、個別ＡＣＫ／ＮＡＣＫビット別に行われず、全体ビット情報を対象に行われ、これによって単一コードワードが生成される。チャネルコーディングはこれに制限されるものではないが、単純反復（ｒｅｐｅｔｉｔｉｏｎ）、単純コーディング（ｓｉｍｐｌｅｘ  ｃｏｄｉｎｇ）、ＲＭ（Ｒｅｅｄ  Ｍｕｌｌｅｒ）コーディング、パンクチャリングされたＲＭコーディング、ＴＢＣＣ（Ｔａｉｌ−ｂｉｔｉｎｇ  ｃｏｎｖｏｌｕｔｉｏｎａｌ  ｃｏｄｉｎｇ）、ＬＤＰＣ（ｌｏｗ−ｄｅｎｓｉｔｙ  ｐａｒｉｔｙ−ｃｈｅｃｋ）或いはターボ−コーディングを含む。図示してはいないが、コーディングビットは、変調次数とリソース量を考慮してレート−マッチング（ｒａｔｅ−ｍａｔｃｈｉｎｇ）されてもよい。レートマッチング機能は、チャネルコーディングブロックの一部として含まれてもよく、別個の機能ブロックで行われてもよい。
【０２２５】
変調器（ｍｏｄｕｌａｔｏｒ）は、コーディングビットｂ＿０，ｂ＿１，…，ｂ＿Ｎ−１を変調して変調シンボルｃ＿０，ｃ＿１，…，ｃ＿Ｌ−１を生成する。Ｌは変調シンボルのサイズを表す。変調は、送信信号のサイズと位相を変形することによって行われる。変調方法は、例えば、ｎ−ＰＳＫ（Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含む（ｎは、２以上の整数）。具体的に、変調方法は、ＢＰＳＫ（Ｂｉｎａｒｙ  ＰＳＫ）、ＱＰＳＫ（Ｑｕａｄｒａｔｕｒｅ  ＰＳＫ）、８−ＰＳＫ、ＱＡＭ、１６−ＱＡＭ、６４−ＱＡＭなどを含むことができる。
【０２２６】
分周器（ｄｉｖｉｄｅｒ）は、変調シンボルｃ＿０，ｃ＿１，…，ｃ＿Ｌ−１を各スロットに分周する。変調シンボルを各スロットに分周する順序／パターン／方式は別に制限されない。例えば、分周器は、変調シンボルを前から順にそれぞれのスロットに分周することができる（ローカル型方式）。この場合、図示のように、変調シンボルｃ＿０，ｃ＿１，…，ｃ＿Ｌ／２−１はスロット０に、変調シンボルｃ＿Ｌ／２，ｃ＿Ｌ／２＋１，…，ｃ＿Ｌ−１はスロット１に分周することができる。また、変調シンボルは、それぞれのスロットに分周時に、インターリービング（又はパーミュテーション）されてもよい。例えば、偶数の変調シンボルはスロット０に分周され、奇数の変調シンボルはスロット１に分周されてもよい。変調過程と分周過程をの順序を互いに変えてもよい。
【０２２７】
ＤＦＴプリコーダ（ｐｒｅｃｏｄｅｒ）は、単一搬送波波形（ｓｉｎｇｌｅ  ｃａｒｒｉｅｒ  ｗａｖｅｆｏｒｍ）を生成するために、それぞれのスロットに分周された変調シンボルに対してＤＦＴプリコーディング（例、１２−ポイントＤＦＴ）を行う。同面を参照すると、スロット０に分周された変調シンボルｃ＿０，ｃ＿１，…，ｃ＿Ｌ／２−１は、ＤＦＴシンボルｄ＿０，ｄ＿１，…，ｄ＿Ｌ／２−１にＤＦＴプリコーディングされ、スロット１に分周された変調シンボルｃ＿Ｌ／２，ｃ＿Ｌ／２＋１，…，ｃ＿Ｌ−１は、ＤＦＴシンボルｄ＿Ｌ／２，ｄ＿Ｌ／２＋１，…，ｄ＿Ｌ−１にＤＦＴプリコーディングされる。ＤＦＴプリコーディングは、相応する他の線形演算（ｌｉｎｅａｒ  ｏｐｅｒａｔｉｏｎ）（例、ｗａｌｓｈ  ｐｒｅｃｏｄｉｎｇ）に取り替えてもよい。
【０２２８】
拡散ブロック（ｓｐｒｅａｄｉｎｇ  ｂｌｏｃｋ）は、ＤＦＴの行われた信号をＳＣ−ＦＤＭＡシンボルレベルで（時間ドメイン）拡散する。ＳＣ−ＦＤＭＡシンボルレベルの時間ドメイン拡散は、拡散コード（或いは、拡散シーケンス）を用いて行われる。拡散コードは、準直交コードと直交コードを含む。準直交コードは、これに制限されるものではないが、ＰＮ（Ｐｓｅｕｄｏ  Ｎｏｉｓｅ）コードを含む。直交コードは、これに制限されるものではないが、ウォルシュコード、ＤＦＴコードを含む。直交コード（Ｏｒｔｈｏｇｏｎａｌ  Ｃｏｄｅ、ＯＣ）は、直交シーケンス（ｏｒｔｈｏｇｏｎａｌ  ｓｅｑｕｅｎｃｅ）、直交カバー（Ｏｒｔｈｏｇｏｎａｌ  Ｃｏｖｅｒ、ＯＣ）、直交カバーコード（Ｏｒｔｈｏｇｏｎａｌ  Ｃｏｖｅｒ  Ｃｏｄｅ、ＯＣＣ）と同じ意味で使われてもよい。本明細書は、説明の容易性のために、拡散コードの代表例として直交コードを取り上げて説明するが、これは例示であり、直交コードは準直交コードに取って代わってもよい。拡散コードサイズ（又は、拡散因子（ＳＦ：Ｓｐｒｅａｄｉｎｇ  Ｆａｃｔｏｒ））の最大値は、制御情報の送信に用いられるＳＣ−ＦＤＭＡシンボルの個数によって制限される。一例として、１スロットで５個のＳＣ−ＦＤＭＡシンボルが制御情報の送信に用いられる場合、スロット別に長さ５の（準）直交コード（ｗ０，ｗ１，ｗ２，ｗ３，ｗ４）を用いることができる。ＳＦは、制御情報の拡散度を意味し、端末の多重化次数（ｍｕｌｔｉｐｌｅｘｉｎｉｇ  ｏｒｄｅｒ）又はアンテナ多重化次数と関連してもよい。ＳＦは、１，２，３，４，５，…のようにシステムの要求条件によって可変してもよい。また、ＳＦは、基地局と端末との間にあらかじめ定義されていてもよく、ＤＣＩ或いはＲＲＣシグナリングによって端末に指示されてもよい。
【０２２９】
上記の過程を経て生成された信号は、ＰＲＢ内の副搬送波にマップされた後、ＩＦＦＴを経て時間ドメイン信号に変換される。時間ドメイン信号にはＣＰが付加され、生成されたＳＣ−ＦＤＭＡシンボルはＲＦ端から送信される。
【０２３０】
３．３．１  ＰＵＣＣＨを用いたＣＳＩ（Ｃｈａｎｎｅｌ  Ｓｔａｔｅ  Ｉｎｆｏｒｍａｔｉｏｎ）のフィードバック
【０２３１】
３ＧＰＰ  ＬＴＥシステムでは、下りリンク受信主体（例えば、端末）が下りリンク送信主体（例えば、基地局）に接続している時に、下りリンクで送信される参照信号の受信強度（ＲＳＲＰ：ｒｅｆｅｒｅｎｃｅ  ｓｉｇｎａｌ  ｒｅｃｅｉｖｅｄ  ｐｏｗｅｒ）、参照信号の品質（ＲＳＲＱ：ｒｅｆｅｒｅｎｃｅ  ｓｉｇｎａｌ  ｒｅｃｅｉｖｅｄ  ｑｕａｌｉｔｙ）などに対する測定を任意の時間に行い、測定結果を基地局に周期的（ｐｅｒｉｏｄｉｃ）に或いはイベントベース（ｅｖｅｎｔ  ｔｒｉｇｇｅｒｅｄ）に報告することができる。
【０２３２】
各端末は、下りリンクチャネル状況による下りリンクチャネル情報を上りリンクで報告し、基地局はそれぞれの端末から受信した下りリンクチャネル情報を用いて、それぞれの端末別にデータ送信のために適切な時間／周波数リソースと変調及びコーディング技法（ＭＣＳ：Ｍｏｄｕｌａｔｉｏｎ  ａｎｄ  Ｃｏｄｉｎｇ  Ｓｃｈｅｍｅ）などを定めることができる。
【０２３３】
このようなチャネル状態情報（ＣＳＩ：Ｃｈａｎｎｅｌ  Ｓｔａｔｅ  Ｉｎｆｏｒｍａｔｉｏｎ）は、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｅｒ  Ｔｙｐｅ  Ｉｎｄｉｃａｔｉｏｎ）及び／又はＲＩ（Ｒａｎｋ  Ｉｎｄｉｃａｔｉｏｎ）で構成することができる。また、それぞれの端末の送信モードによって、ＣＳＩは全て送信されてもよく、一部のみ送信されてもよい。ＣＱＩは、端末の受信信号品質（ｒｅｃｅｉｖｅｄ  ｓｉｇｎａｌ  ｑｕａｌｉｔｙ）によって定められるが、これは一般に、下りリンク参照信号の測定に基づいて決定することができる。このとき、実際に基地局に伝達されるＣＱＩ値は、端末の測定した受信信号品質でブロックエラー率（ＢＬＥＲ：Ｂｌｏｃｋ  Ｅｒｒｏｒ  Ｒａｔｅ）を１０％以下に維持しながら最大の性能を奏するＭＣＳに該当する。
【０２３４】
また、このようなチャネル情報の報告方式は、周期的に送信される周期的報告（ｐｅｒｉｏｄｉｃ  ｒｅｐｏｒｔｉｎｇ）と、基地局の要請に応じて送信される非周期的報告（ａｐｅｒｉｏｄｉｃ  ｒｅｐｏｒｔｉｎｇ）とに区別される。
【０２３５】
非周期的報告の場合、基地局が端末に送信する上りリンクスケジューリング情報に含まれた１ビットの要請ビット（ＣＱＩ  ｒｅｑｕｅｓｔ  ｂｉｔ）によってそれぞれの端末に設定され、それぞれの端末は、この情報を受けると、自身の送信モードを考慮したチャネル情報をＰＵＳＣＨで基地局に伝達することができる。同じＰＵＳＣＨ上でＲＩ及びＣＱＩ／ＰＭＩが送信されないように設定することができる。
【０２３６】
周期的報告の場合、上位層信号を用いて、チャネル情報の送信される周期、及び当該周期におけるオフセット（ｏｆｆｓｅｔ）などをサブフレーム単位にそれぞれの端末にシグナルし、定められた周期にしたがって、それぞれの端末の送信モードを考慮したチャネル情報をＰＵＣＣＨで基地局に伝達することができる。定められた周期にしたがってチャネル情報が送信されるサブフレームに、上りリンクで送信されるデータが同時に存在する場合には、当該チャネル情報をＰＵＣＣＨではなくＰＵＳＣＨでデータと併せて送信することができる。ＰＵＣＣＨを用いる周期的報告の場合には、ＰＵＳＣＨに比べて制限されたビット（例えば、１１ビット）が用いられてもよい。同じＰＵＳＣＨ上でＲＩ及びＣＱＩ／ＰＭＩが送信されてもよい。
【０２３７】
周期的報告と非周期的報告とが同一のサブフレーム内で衝突する場合には、非周期的報告のみを行うことができる。
【０２３８】
広帯域（Ｗｉｄｅｂａｎｄ）ＣＱＩ／ＰＭＩの計算において、最も最近に送信されたＲＩを用いることができる。ＰＵＣＣＨ  ＣＳＩ報告モード（ｒｅｐｏｒｔｉｎｇ  ｍｏｄｅ）におけるＲＩは、ＰＵＳＣＨ  ＣＳＩ報告モードにおけるＲＩとは独立しており（ｉｎｄｅｐｅｎｄｅｎｔ）、ＰＵＳＣＨ  ＣＳＩ報告モードにおけるＲＩは、当該ＰＵＳＣＨ  ＣＳＩ報告モードにおけるＣＱＩ／ＰＭＩにのみ有効（ｖａｌｉｄ）である。
【０２３９】
表１６は、ＰＵＣＣＨで送信されるＣＳＩフィードバックタイプ及びＰＵＣＣＨ  ＣＳＩ報告モードを説明する表である。
【０２４０】
【表１６】
2016530826.tif 000056
【０２４１】
表１６を参照すると、チャネル状態情報の周期的報告（ｐｅｒｉｏｄｉｃ  ｒｅｐｏｒｔｉｎｇ）においてＣＱＩとＰＭＩフィードバックタイプによって、モード１−０、１−１、２−０及び２−１の４つの報告モード（ｒｅｐｏｒｔｉｎｇ  ｍｏｄｅ）に区別することができる。
【０２４２】
ＣＱＩフィードバックタイプによって広帯域ＣＱＩ（ＷＢ  ＣＱＩ：ｗｉｄｅｂａｎｄ  ＣＱＩ）とサブバンド（ＳＢ  ＣＱＩ：ｓｕｂｂａｎｄ  ＣＱＩ）とに分けられ、ＰＭＩ送信の有無によってＮｏ  ＰＭＩと単一（ｓｉｎｇｌｅ）ＰＭＩとに分けられる。表１６では、Ｎｏ  ＰＭＩが開−ループ（ＯＬ：ｏｐｅｎ−ｌｏｏｐ）、送信ダイバーシチ（ＴＤ：Ｔｒａｎｓｍｉｔ  Ｄｉｖｅｒｓｉｔｙ）及び単一−アンテナ（ｓｉｎｇｌｅ−ａｎｔｅｎｎａ）の場合に該当し、単一ＰＭＩは閉−ループ（ＣＬ：ｃｌｏｓｅｄ−ｌｏｏｐ）に該当する。
【０２４３】
モード１−０は、ＰＭＩ送信はなく、ＷＢ  ＣＱＩが送信される場合である。この場合、ＲＩは、開−ループ（ＯＬ）空間多重化（ＳＭ：Ｓｐａｔｉａｌ  Ｍｕｌｔｉｐｌｅｘｉｎｇ）の場合にのみ送信され、４ビットで表現される一つのＷＢ  ＣＱＩが送信される。ＲＩが１を超える場合には、第１コードワードに対するＣＱＩが送信されてもよい。
【０２４４】
モード１−１は、単一ＰＭＩ及びＷＢ  ＣＱＩが送信される場合である。この場合、ＲＩ送信と併せて、４ビットのＷＢ  ＣＱＩ及び４ビットのＷＢ  ＰＭＩが送信されてもよい。さらに、ＲＩが１超える場合には、３ビットのＷＢ空間差分ＣＱＩ（Ｗｉｄｅｂａｎｄ  Ｓｐａｔｉａｌ  Ｄｉｆｆｅｒｅｎｔｉａｌ  ＣＱＩ）が送信されてもよい。２コードワードの送信において、ＷＢ空間差分ＣＱＩは、コードワード１に対するＷＢ  ＣＱＩインデックスとコードワード２に対するＷＢ  ＣＱＩインデックスとの差値を表してもよい。これらの差値は、集合｛−４，−３，−２，−１，０，１，２，３｝のいずれか一つの値を有し、３ビットで表現されてもよい。
【０２４５】
モード２−０は、ＰＭＩ送信はなく、端末が選択した（ＵＥ  ｓｅｌｅｃｔｅｄ）帯域のＣＱＩが送信される場合である。この場合、ＲＩは、開−ループ空間多重化（ＯＬ  ＳＭ）の場合にのみ送信され、４ビットで表現されるＷＢ  ＣＱＩが送信されてもよい。また、それぞれの帯域幅部分（ＢＰ：Ｂａｎｄｗｉｄｔｈ  Ｐａｒｔ）で最適（Ｂｅｓｔ−１）のＣＱＩが送信され、Ｂｅｓｔ−１  ＣＱＩは４ビットで表現されてもよい。また、Ｂｅｓｔ−１を指示するＬビットの指示子（ｉｎｄｉｃａｔｏｒ）が併せて送信されてもよい。ＲＩが１を超える場合には、第１コードワードに対するＣＱＩが送信されてもよい。
【０２４６】
モード２−１は、単一ＰＭＩ及び端末が選択した（ＵＥ  ｓｅｌｅｃｔｅｄ）帯域のＣＱＩが送信される場合である。この場合、ＲＩ送信と併せて、４ビットのＷＢ  ＣＱＩ、３ビットのＷＢ空間差分ＣＱＩ及び４ビットのＷＢ  ＰＭＩが送信されてもよい。さらに、それぞれの帯域幅部分（ＢＰ）で４ビットのＢｅｓｔ−１  ＣＱＩが送信され、ＬビットのＢｅｓｔ−１指示子が併せて送信されてもよい。さらに、ＲＩが１超える場合には、３ビットのＢｅｓｔ−１空間差分ＣＱＩが送信されてもよい。これは、２コードワード送信において、コードワード１のＢｅｓｔ−１  ＣＱＩインデックスとコードワード２のＢｅｓｔ−１  ＣＱＩインデックスとの差値を表すことができる。
【０２４７】
各送信モード（ｔｒａｎｓｍｉｓｓｉｏｎ  ｍｏｄｅ）に対して次のように周期的なＰＵＣＣＨ  ＣＳＩ報告モードが支援される。
【０２４８】
１）送信モード１：モード１−０及び２−０
【０２４９】
２）送信モード２：モード１−０及び２−０
【０２５０】
３）送信モード３：モード１−０及び２−０
【０２５１】
４）送信モード４：モード１−１及び２−１
【０２５２】
５）送信モード５：モード１−１及び２−１
【０２５３】
６）送信モード６：モード１−１及び２−１
【０２５４】
７）送信モード７：モード１−０及び２−０
【０２５５】
８）送信モード８：端末がＰＭＩ／ＲＩ報告が設定される場合にはモード１−１及び２−１、端末がＰＭＩ／ＲＩ報告をしないように設定される場合にはモード１−０及び２−０
【０２５６】
９）送信モード９：端末がＰＭＩ／ＲＩを報告するように設定され、ＣＳＩ−ＲＳポートの数＞１の場合にモード１−１及び２−１、端末がＰＭＩ／ＲＩ報告をしないように設定されたりＣＳＩ−ＲＳポートの数＝１の場合にモード１−０及び２−０
【０２５７】
各サービングセルで周期的なＰＵＣＣＨ  ＣＳＩ報告モードは、上位層シグナリングによって設定される。モード１−１は、‘ＰＵＣＣＨ＿ｆｏｒｍａｔ１−１＿ＣＳＩ＿ｒｅｐｏｒｔｉｎｇ＿ｍｏｄｅ’パラメータを使用する上位層シグナリングによってサブモード（ｓｕｂｍｏｄｅ）１又はサブモード２のいずれか一つに設定される。
【０２５８】
端末の選択したＳＢ  ＣＱＩにおいて特定サービングセルの特定サブフレームでＣＱＩ報告は、サービングセルの帯域幅の一部分である帯域幅部分（ＢＰ：Ｂａｎｄｗｉｄｔｈ  Ｐａｒｔ）の一つ以上のチャネル状態の測定を意味する。帯域幅部分は、最も低い周波数から始まって周波数が増加する順序で帯域幅サイズの増加無しでインデックスが与えられる。
【０２５９】
【化３４】
2016530826.tif 000057
は、サービングセルシステム帯域幅のリソースブロック（ＲＢ）個数を表す。システム帯域幅は、Ｎ（１，２，３，．．．，Ｎ）個のＳＢ  ＣＱＩに分けることができる。１つのＳＢ  ＣＱＩは、下記の表１５で定義するｋ個のＲＢを含むことができる。全体帯域幅のＲＢの個数がｋの整数倍がでない場合
【化３５】
2016530826.tif 000058
に、最後（Ｎ番目）のＳＢ  ＣＱＩを構成するＲＢの個数は、式４によって決定することができる。
【０２６０】
【数４】
2016530826.tif 000059
【０２６１】
表１７には、サブバンドサイズ（ｋ）及び帯域幅部分（ＢＰ）と下りリンクシステム帯域幅
【化３６】
2016530826.tif 000060
との関係を示す。
【０２６２】
【表１７】
2016530826.tif 000061
【０２６３】
また、
【化３７】
2016530826.tif 000062
個のＣＱＩサブバンドは１つのＢＰを構成し、システム帯域幅はＪ個のＢＰに分けられ得る。Ｊ＝１の場合、
【化３８】
2016530826.tif 000063
は
【化３９】
2016530826.tif 000064
と同一であり、Ｊ＞１の場合、
【化４０】
2016530826.tif 000065
は、
【化４１】
2016530826.tif 000066
又は
【化４２】
2016530826.tif 000067
と同一である。端末は、ＢＰのうち、好む最適の一つ（Ｂｅｓｔ−１）のＣＱＩサブバンドに対するＣＱＩインデックスを計算し、ＰＵＣＣＨでＣＱＩインデックスを送信することができる。このとき、一つのＢＰから選択されたＢｅｓｔ−１  ＣＱＩサブバンドがどれであるかを示すＢｅｓｔ−１指示子を併せて送信することができる。Ｂｅｓｔ−１指示子をＬビットで構成することができ、Ｌは、式５のとおりである。
【０２６４】
【数５】
2016530826.tif 000068
【０２６５】
上記のような方式で端末が選択した（ＵＥ  ｓｅｌｅｃｔｅｄ）ＣＱＩ報告モードにおいて、ＣＱＩインデックスが計算される周波数帯域を決定することができる。
【０２６６】
以下、ＣＱＩ送信周期について説明する。
【０２６７】
表１８には、各ＰＵＣＣＨ  ＣＳＩ報告モードのＣＱＩ及びＰＭＩペイロードサイズ（ｐａｙｌｏａｄ  ｓｉｚｅ）を示す。
【０２６８】
【表１８】
2016530826.tif 000069
【０２６９】
表１８を参照すると、ＰＵＣＣＨ  ＣＳＩ報告モードのために支援される各ＣＱＩ／ＰＭＩ及びＲＩ報告タイプは、次のとおりである。
【０２７０】
報告タイプ１は、端末の選択したサブバンドに対するＣＱＩフィードバックを支援する。
【０２７１】
報告タイプ１ａは、サブバンドＣＱＩと二番目のＰＭＩフィードバックを支援する。
【０２７２】
報告タイプ２、２ｂ、２ｃは、ＷＢ  ＣＱＩとＰＭＩフィードバックを支援する。
【０２７３】
報告タイプ２ａは、ＷＢ  ＰＭＩフィードバックを支援する。
【０２７４】
報告タイプ３は、ＲＩフィードバックを支援する。
【０２７５】
報告タイプ４は、ＷＢ  ＣＱＩを支援する。
【０２７６】
報告タイプ５は、ＲＩとＷＢ  ＰＭＩフィードバックを支援する。
【０２７７】
報告タイプ６は、ＲＩとＰＴＩフィードバックを支援する。
【０２７８】
端末は、チャネル情報の送信周期とオフセットの組合せからなる情報を上位層でＲＲＣシグナリング（ｓｉｇｎａｌｉｎｇ）を通じて受信することができる。端末は、受信したチャネル情報送信周期に関する情報に基づいてチャネル情報を基地局に送信することができる。各サービングセルで、ＣＱＩ／ＰＭＩ報告のためのサブフレーム内における周期
【化４３】
2016530826.tif 000070
とサブフレーム内におけるオフセット
【化４４】
2016530826.tif 000071
は、上位層シグナリングによって設定された‘ｃｑｉ−ｐｍｉ−ＣｏｎｆｉｇＩｎｄｅｘ’
【化４５】
2016530826.tif 000072
パラメータに基づいて決定される（表１４及び表１５参照）。ＲＩ報告のための周期
【化４６】
2016530826.tif 000073
と関連したオフセット
【化４７】
2016530826.tif 000074
は、上位層シグナリングによって設定された‘ｒｉ−ＣｏｎｆｉｇＩｎｄｅｘ’
【化４８】
2016530826.tif 000075
パラメータに基づいて決定される（表１６参照）。ＲＩ報告のためのオフセット
【化４９】
2016530826.tif 000076
は
【化５０】
2016530826.tif 000077
値を有する。端末が１つ以上のＣＳＩサブフレームセットを報告するように設定された場合、‘ｃｑｉ−ｐｍｉ−ＣｏｎｆｉｇＩｎｄｅｘ’及び‘ｒｉ−ＣｏｎｆｉｇＩｎｄｅｘ’はそれぞれ、サブフレームセット１に対するＣＱＩ／ＰＭＩ及びＲＩの周期とオフセットに対応し、‘ｃｑｉ−ｐｍｉ−ＣｏｎｆｉｇＩｎｄｅｘ２’及び‘ｒｉ−ＣｏｎｆｉｇＩｎｄｅｘ２’はそれぞれ、サブフレームセット２に対するＣＱＩ／ＰＭＩ及びＲＩの周期とオフセットに対応する。
【０２７９】
表１９に、ＦＤＤにおいて
【化５１】
2016530826.tif 000078
パラメータの
【化５２】
2016530826.tif 000079
及び
【化５３】
2016530826.tif 000080
とのマッピング関係を示す。
【０２８０】
【表１９】
2016530826.tif 000081
【０２８１】
表２０には、ＴＤＤにおいて
【化５４】
2016530826.tif 000082
パラメータの
【化５５】
2016530826.tif 000083
及び
【化５６】
2016530826.tif 000084
とのマッピング関係を示す。
【０２８２】
【表２０】
2016530826.tif 000085
【０２８３】
表２１には、ＴＤＤにおいて
【化５７】
2016530826.tif 000086
パラメータの
【化５８】
2016530826.tif 000087
及び
【化５９】
2016530826.tif 000088
とのマッピング関係を示す。
【表２１】
2016530826.tif 000089
【０２８４】
３．３．１．１  ＷＢ  ＣＱＩ／ＰＭＩ報告
【０２８５】
ＷＢ  ＣＱＩ／ＰＭＩ報告のためのサブフレームは、下記の式６を満たす。
【０２８６】
【数６】
2016530826.tif 000090
【０２８７】
ＲＩ報告が設定された場合、ＲＩ報告の報告間隔は、サブフレーム内で周期
【化６０】
2016530826.tif 000091
の整数倍
【化６１】
2016530826.tif 000092
と同一である。ＲＩ報告のためのサブフレームは、下記の式７を満たす。
【０２８８】
【数７】
2016530826.tif 000093
【０２８９】
３．３．１．２  ＷＢ  ＣＱＩ／ＰＭＩ及びＳＢ  ＣＱＩ報告
【０２９０】
ＷＢ  ＣＱＩ／ＰＭＩとＳＢ  ＣＱＩ報告の両方が設定された場合、ＷＢ  ＣＱＩ／ＰＭＩ及びＳＢ  ＣＱＩ報告のためのサブフレームは、下記の式８を満たす。
【０２９１】
【数８】
2016530826.tif 000094
【０２９２】
ＰＴＩが送信されない場合又は最も最近に送信されたＰＴＩが１と同一であるとき、ＷＢ  ＣＱＩ／ＷＢ  ＰＭＩ（又は、送信モード９でＷＢ  ＣＱＩ／ＷＢ二番目のＰＭＩ）報告は、周期
【化６２】
2016530826.tif 000095
を有し、サブフレームは下記の式９を満たす。
【０２９３】
【数９】
2016530826.tif 000096
【０２９４】
ここで、
【化６３】
2016530826.tif 000097
は、
【化６４】
2016530826.tif 000098
を満たし、
【化６５】
2016530826.tif 000099
は、ＢＰの数を表す。
【０２９５】
２つの連続したＷＢ  ＣＱＩ／ＷＢ  ＰＭＩ（又は、送信モード９でＷＢ  ＣＱＩ／ＷＢ二番目のＰＭＩ）報告間には、
【化６６】
2016530826.tif 000100
報告は、２つの連続したＷＢ  ＣＱＩ／ＷＢ  ＰＭＩ間の間隔が、システムフレーム番号送信が０によって
【化６７】
2016530826.tif 000101
報告よりも小さい場合を除いては、ＢＰの全サイクル（ｆｕｌｌ  ｃｙｃｌｅｓ）
【化６８】
2016530826.tif 000102
であるＳＢ  ＣＱＩ報告のためのシーケンスが用いられる。このような場合に、端末は２つのＷＢ  ＣＱＩ／ＷＢ  ＰＭＩ（又は、送信モード９でＷＢ  ＣＱＩ／ＷＢ二番目のＰＭＩ）の二番目の前に送信していないＳＢ  ＣＱＩを報告しなくてもよい。各ＢＰの全サイクルは０番目のＢＰから
【化６９】
2016530826.tif 000103
番目のＢＰまで増加する順序を有し、
【化７０】
2016530826.tif 000104
パラメータは、上位層シグナリングによって設定されてもよい。
【０２９６】
一方、最も最近に送信されたＰＴＩが０と同一であるとき、一番目のＷＢ  ＰＭＩは周期
【化７１】
2016530826.tif 000105
を有し、サブフレームは下記の式１０を満たす。
【０２９７】
【数１０】
2016530826.tif 000106
【０２９８】
ここで、
【化７２】
2016530826.tif 000107
は、上位層によってシグナルされる。
【０２９９】
２つの連続した一番目のＷＢ  ＰＭＩ報告間で残った報告は、ＷＢ  ＣＱＩにおいて二番目のＷＢ  ＰＭＩが用いられ得る。
【０３００】
ＲＩ報告が設定された場合、ＲＩの報告間隔は、ＷＢ  ＣＱＩ／ＰＭＩ周期
【化７３】
2016530826.tif 000108
の
【化７４】
2016530826.tif 000109
倍である。ＲＩは、ＷＢ  ＣＱＩ／ＰＭＩ及びＳＢ  ＣＱＩ報告と同じＰＵＣＣＨ循環シフト（ｃｙｃｌｉｃ  ｓｈｉｆｔ）リソースで報告され、ＲＩ報告のためのサブフレームは、下記の式１１を満たす。
【０３０１】
【数１１】
2016530826.tif 000110
【０３０２】
一方、一つのサービングセルのＰＵＣＣＨフォーマット３、５又は６を有するＣＳＩ報告と同サービングセルのＰＵＣＣＨフォーマット１、１ａ、２、２ａ、２ｂ、２ｃ又は４を有するＣＳＩ報告とが衝突する場合、低い優先順位のＰＵＣＣＨフォーマット（１、１ａ、２、２ａ、２ｂ、２ｃ又は４）を有するＣＳＩ報告をドロップ（ｄｒｏｐ）する。
【０３０３】
端末に１つ以上のサービングセルが設定された場合、端末は、１つのサービングセルのＣＳＩ報告のみを、定められたサブフレームで送信する。定められたサブフレームで、一つのサービングセルのＰＵＣＣＨフォーマット３、５、６又は２ａを有するＣＳＩ報告と、他のサービングセルのＰＵＣＣＨフォーマット１、１ａ、２、２ｂ、２ｃ又は４を有するＣＳＩ報告が衝突する場合、低い優先順位のＰＵＣＣＨフォーマット（１、１ａ、２、２ｂ、２ｃ又は４）を有するＣＳＩ報告はドロップされる。また、定められたサブフレームで、一つのサービングセルのＰＵＣＣＨフォーマット２，２ｂ，２ｃ，ｏｒ４を有するＣＳＩ報告と、他のサービングセルのＰＵＣＣＨフォーマット１又は１ａを有するＣＳＩ報告が衝突する場合、低い優先順位のＰＵＣＣＨフォーマット（１，１ａ）を有するＣＳＩ報告はドロップされる。
【０３０４】
定められたサブフレームで、同じ優先順位のＰＵＣＣＨフォーマットを有する異なるサービングセルのＣＳＩ報告間に衝突が起きる場合、最も低い‘ＳｅｒｖＣｅｌｌＩｎｄｅｘ’を有するサービングセルのＣＳＩが報告され、それ以外のサービングセルのＣＳＩ報告はいずれもドロップされる。
【０３０５】
ＣＳＩとＨＡＲＱ−ＡＣＫ／ＮＡＣＫとの衝突時に端末の動作と該当のＰＵＣＣＨフォーマットの割り当ては、次のとおりである。
【０３０６】
定められたＰＵＣＣＨフォーマットのＣＳＩ報告は、ＰＵＣＣＨリソース
【化７５】
2016530826.tif 000111
で送信され得る。ここで、
【化７６】
2016530826.tif 000112
は、端末特定（ＵＥ  ｓｐｅｃｉｆｉｃ）であり、各サービングセルに対して上位層によって設定される。同じサブフレームでＣＳＩと能動的ＳＲとが衝突する場合、ＣＳＩはドロップされる。
【０３０７】
ＴＤＤ周期的ＣＱＩ／ＰＭＩ報告において、ＴＤＤ上りリンク／下りリンク構成（ｃｏｎｆｉｇｕｒａｔｉｏｎ）によって次のような周期値が適用される。
【０３０８】
報告周期
【化７７】
2016530826.tif 000113
は、ＴＤＤ上りリンク／下りリンク構成０，１，３，４，６にのみ適用される。ここで、無線フレームの全ての上りリンクサブフレームはＣＱＩ／ＰＭＩ報告に用いられる。
【０３０９】
報告周期
【化７８】
2016530826.tif 000114
は、ＴＤＤ上りリンク／下りリンク構成０，１，２，６にのみ適用される。
【０３１０】
報告周期
【化７９】
2016530826.tif 000115
は、全てのＴＤＤ上りリンク／下りリンク構成に適用されてもよい。
【０３１１】
【化８０】
2016530826.tif 000116
であるサービングセルでモード２−０及びモード２−１は支援されない。
【０３１２】
表２２に、ＰＵＣＣＨモード１−１サブモード（ｓｕｂｍｏｄｅ）２のサブサンプリング（ｓｕｂｓａｍｐｌｉｎｇ）コードブックを示す。ここで、
【化８１】
2016530826.tif 000117
は、一番目のＰＭＩを表し、
【化８２】
2016530826.tif 000118
は、二番目のＰＭＩを表す。
【表２２】
2016530826.tif 000119
【０３１３】
表２３には、ＰＵＣＣＨモード１−１サブモード１でＲＩと
【化８３】
2016530826.tif 000120
のジョイントエンコーディング（ｊｏｉｎｔ  ｅｎｃｏｄｉｎｇ）を示す。ここで、
【化８４】
2016530826.tif 000121
は、一番目のＰＭＩを表す。
【表２３】
2016530826.tif 000122
【０３１４】
表２４には、ＰＵＣＣＨモード２−１のサブサンプリング（ｓｕｂｓａｍｐｌｉｎｇ）コードブックを示す。ここで、
【化８５】
2016530826.tif 000123
は、二番目のＰＭＩを表す。
【表２４】
2016530826.tif 000124
【０３１５】
周期的な報告モードにおいてサービングセルに対するＲＩ報告は、周期的ＣＳＩ報告モードにおいてサービングセルに対するＣＱＩ／ＰＭＩ報告のためにのみ有効（ｖａｌｉｄ）である。
【０３１６】
ＣＱＩ／ＰＭＩの計算は、最後に報告されたＲＩに条件的（ｃｏｎｄｉｔｉｏｎｅｄ）であるが、最後に報告されたＲＩがない場合、ビットマップパラメータ‘ｃｏｄｅｂｏｏｋＳｕｂｓｅｔＲｅｓｔｒｉｃｔｉｏｎ’によって与えられた最も低い可能なＲＩに条件的に計算される。一つ以上のＣＳＩサブフレームセットのための報告が設定された場合、ＣＱＩ／ＰＭＩは、ＣＱＩ／ＰＭＩ報告と同じサブフレームにリンクされた最後に報告されたＲＩに条件的に計算される。
【０３１７】
３．３．１．３  広帯域フィードバック（Ｗｉｄｅｂａｎｄ  ｆｅｅｄｂａｃｋ）
【０３１８】
１）モード１−０
【０３１９】
ＲＩが報告されるサブフレームについて説明すると（送信モード３でのみ送信）、端末は、サブバンドセット（Ｓ）送信を仮定してＲＩを決定し、一つのＲＩを含む報告タイプ３で報告する。
【０３２０】
ＣＱＩが報告されるサブフレームについて説明すると、端末は、サブバンドセット（Ｓ）を仮定して計算された一つのＷＢ  ＣＱＩ値を含む報告タイプ４で報告する。送信モード３でＣＱＩは、最後に報告された周期的ＲＩに条件的に計算される。他の送信モードではＣＱＩはランク（ｒａｎｋ）１送信に条件的に計算される。
【０３２１】
２）モード１−１
【０３２２】
ＲＩが報告されるサブフレームについて説明すると（送信モード４、８、９でのみ送信）、端末は、サブバンドセット（Ｓ）送信を仮定してＲＩを決定し、一つのＲＩを含む報告タイプ３で報告する。
【０３２３】
ＲＩと一番目のＰＭＩが報告されるサブフレームについて説明すると（送信モード９のサブモード１であり、ＣＳＩ−ＲＳポートが設定された場合にのみ送信）、端末は、サブバンドセット（Ｓ）送信を仮定してＲＩを決定し、サブバンドセット（Ｓ）送信を仮定したコードブックサブセット（ｃｏｄｅｂｏｏｋ  ｓｕｂｓｅｔ）から選択された単一のプリコーディング行列（ｐｒｅｃｏｄｉｎｇ  ｍａｔｒｉｘ）によってジョイントエンコーディング（ｊｏｉｎｔ  ｅｎｃｏｄｉｎｇ）されたＲＩと一番目のＰＭＩを含む報告タイプ５で報告する。
【０３２４】
ＣＱＩ／ＰＭＩが報告されるサブフレームについて説明すると、単一のプリコーディング行列は、サブバンドセット（Ｓ）送信を仮定したコードブックサブセットから選択され、端末はタイプ２／２ｂ／２ｃで報告することができる。このとき、サブバンドセット（Ｓ）送信と全てのサブバンド内に単一のプリコーディング行列の使用を仮定して計算された単一のＷＢ  ＣＱＩ値を含む。また、送信モード４及び８の場合、端末は、選択された単一の二番目のＰＭＩで構成された報告タイプ２で報告することができる。また、送信モード９のサブモード１である場合、端末は、選択された単一の一番目のＰＭＩで構成された報告タイプ２ｂで報告することができる。また、送信モード９のサブモード２である場合、端末は、単一の選択されたプリコーディング行列による一番目及び二番目のＰＭＩで構成された報告タイプ２ｃで報告することができる。また、ＲＩ＞１の場合、３ビットの空間的な差を有するＷＢ  ＣＱＩを報告することができる。
【０３２５】
送信モード４、８及び９においてＰＭＩとＣＱＩは、最後に報告された周期的ＲＩに条件的に計算される。他の送信モードではランク（ｒａｎｋ）１送信に条件的に計算される。
【０３２６】
３．３．１．４  端末の選択したサブバンドフィードバック（ＵＥ  Ｓｅｌｅｃｔｅｄ  ｓｕｂｂａｎｄ  ｆｅｅｄｂａｃｋ）
【０３２７】
１）モード２−０
【０３２８】
ＲＩが報告されるサブフレームについて説明すると（送信モード３でのみ送信）、端末は、サブバンドセット（Ｓ）送信を仮定してＲＩを決定し、一つのＲＩを含む報告タイプ３で報告する。
【０３２９】
ＷＢ  ＣＱＩが報告されるサブフレームについて説明すると、端末は、サブバンドセット（Ｓ）を仮定して計算された一つのＷＢ  ＣＱＩ値を含む報告タイプ４で報告する。ＲＩ＞１の場合、ＷＢ  ＣＱＩは、一番目のコードワード（ｃｏｄｅｗｏｒｄ）のチャネル品質を示す。送信モード３でＣＱＩは、最後に報告された周期的ＲＩに条件的に計算される。他の送信モードではＣＱＩはランク（ｒａｎｋ）１送信に条件的に計算される。
【０３３０】
ＳＢ  ＣＱＩが報告されるサブフレームについて説明すると、端末は、
【化８６】
2016530826.tif 000125
個のサブバンドセットで構成されたＪ個のＢＰから、好む最適の一つ（Ｂｅｓｔ−１）を選択し（表１５参照）、好むサブバンド指示子（Ｌ）によって決定されたＢＰの選択されたサブバンド送信を反映する一つのＣＱＩ値を含む報告タイプ１で報告することができる。各ＢＰのための報告タイプ１は、交互に報告されてもよい。ＲＩ＞１の場合、ＣＱＩは、一番目のコードワード（ｃｏｄｅｗｏｒｄ）のチャネル品質を示す。送信モード３で、好むサブバンド選択及びＣＱＩ値は、最後に報告された周期的ＲＩに条件的に計算される。他の送信モードではＣＱＩは、ランク（ｒａｎｋ）１送信に条件的に計算される。
【０３３１】
２）モード２−１
【０３３２】
ＲＩが報告されるサブフレームについて説明すると（送信モード４、８、９であり、設定されたＣＳＩ−ＲＳポートの数が２又は４である場合にのみ送信）、端末は、サブバンドセット（Ｓ）送信を仮定してＲＩを決定し、一つのＲＩを含む報告タイプ３で報告する。
【０３３３】
ＣＳＩ−ＲＳポートの数が８であり、送信モード９でＲＩが報告されるサブフレームについて説明すると、端末は、サブバンドセット（Ｓ）送信を仮定してＲＩを決定し、端末は、ＰＴＩ（Ｐｒｅｃｏｄｅｒ  Ｔｙｐｅ  Ｉｎｄｉｃａｔｉｏｎ）を決定し、一つのＲＩとＰＴＩを含む報告タイプ６で報告する。
【０３３４】
ＷＢ  ＣＱＩ／ＰＭＩが報告されるサブフレームについて説明すると、単一のプリコーディング行列は、サブバンドセット（Ｓ）送信を仮定したコードブックサブセットから選択される。送信モード９以外では、端末はタイプ２で報告することができる。このとき、サブバンドセット（Ｓ）送信と全てのサブバンド内に単一のプリコーディング行列の使用を仮定して計算された単一のＷＢ  ＣＱＩ値及び単一の選択されたＰＭＩを含む。また、ＲＩ＞１の場合、３ビットの空間的な差を有するＷＢ  ＣＱＩを報告することができる。
【０３３５】
送信モード９では、端末は、ＰＴＩ＝０場合に報告タイプ２ａで報告することができ、ＰＴＩ＝１の場合又はＣＳＩ−ＲＳポートの数が２又は４に設定された場合、報告タイプ２ｂで報告することができる。この時、ＰＴＩ＝０の場合、単一の選択されたプリコーディング行列によって一番目のＰＭＩを含む。一方、ＰＴＩ＝１の場合、サブバンドセット（Ｓ）送信と全てのサブバンド内に単一のプリコーディング行列の使用を仮定して計算された単一のＷＢ  ＣＱＩ値及び単一の選択されたプリコーディング行列によって二番目のＰＭＩを含む。また、ＰＴＩ＝１の場合、ＲＩ＞１であれば、３ビットの空間的な差を有するＷＢ  ＣＱＩを報告することができる。
【０３３６】
送信モード４、８及び９で、ＰＭＩ及びＣＱＩは、最後に報告された周期的ＲＩに条件的に計算される。他の送信モードではランク（ｒａｎｋ）１送信に条件的に計算される。
【０３３７】
端末の選択したＳＢ  ＣＱＩが報告されるサブフレームについて説明すると、端末は、
【化８７】
2016530826.tif 000126
個のサブバンドセットで構成されたＪ個のＢＰから、好む最適の一つ（Ｂｅｓｔ−１）を選択し（表２０参照）、ＣＳＩ−ＲＳポートの数が８に設定された送信モード９以外では、端末は、好むサブバンド指示子（Ｌ）によって決定されたＢＰの選択されたサブバンド送信を反映するコードワード０に対するＣＱＩ値を含む報告タイプ１で報告することができる。ＲＩ＞１の場合、コードワード１のオフセットレベルに対する更なる３ビットの空間的な差を有するＳＢ  ＣＱＩを報告することができる。このとき、コードワード１のオフセットレベルは、コードワード０のためのＳＢ  ＣＱＩインデックスとコードワード１のためのＳＢ  ＣＱＩインデックスとの差を表し、サブバンドセット（Ｓ）送信と全てのサブバンド内に単一のプリコーディング行列の使用を仮定してＳＢ  ＣＱＩが計算されてもよい。
【０３３８】
ＣＳＩ−ＲＳポートの数が８に設定された送信モード９の場合、ＰＴＩ＝０なら、端末は報告タイプ２ｂで報告することができる。このとき、サブバンドセット（Ｓ）送信と全てのサブバンド内に単一のプリコーディング行列の使用を仮定して計算されたＷＢ  ＣＱＩ値、及びサブバンドセット（Ｓ）送信を仮定してコードブックサブセットから選択された好むプリコーディング行列の二番目のＰＭＩを含む。ＲＩ＞１の場合、コードワード１のオフセットレベルに対する更なる３ビットの空間的な差を有するＳＢ  ＣＱＩを報告することができる。このとき、コードワード１のオフセットレベルは、コードワード０のためのＳＢ  ＣＱＩインデックスとコードワード１のためのＳＢ  ＣＱＩインデックスとの差を表し、サブバンドセット（Ｓ）送信と全てのサブバンド内に単一のプリコーディング行列の使用を仮定してＳＢ  ＣＱＩが計算されてもよい。
【０３３９】
送信モード９でＰＴＩ＝１である場合、端末は、ＢＰ別に報告タイプ１ａで報告することができる。このとき、好むサブバンド指示子（Ｌ）によって決定されたＢＰの選択されたサブバンド送信を反映するコードワード０に対するＣＱＩ値を含む。また、決定された好むサブバンド指示子（Ｌ）によって決定されたＢＰの選択されたサブバンド送信を仮定してコードブックサブセットから選択された好むプリコーディング行列の二番目のＰＭＩを含む。ＲＩ＞１の場合、コードワード１のオフセットレベルに対する更なる３ビットの空間的な差を有するＳＢ  ＣＱＩを報告することができる。このとき、コードワード１のオフセットレベルは、コードワード０のためのＳＢ  ＣＱＩインデックスとコードワード１のためのＳＢ  ＣＱＩインデックスとの差を表し、サブバンドセット（Ｓ）送信と全てのサブバンド内に単一のプリコーディング行列の使用を仮定してＳＢ  ＣＱＩが計算されてもよい。
【０３４０】
送信モード４、８及び９においてサブバンド選択及びＣＱＩは、最後に報告された周期的ＷＢ  ＰＭＩ及びＲＩに条件的に計算される。他の送信モードでは、最後に報告されたＰＭＩ及びランク（ｒａｎｋ）１送信に条件的に計算される。
【０３４１】
一方、上位層によって提供される‘ｔｔｉＢｕｎｄｌｉｎｇ’パラメータが‘ＴＲＵＥ’に設定され、サブフレームバンドリング（ｂｕｎｄｉｎｇ）動作中にＵＬ−ＳＣＨが周期的ＣＳＩ報告と衝突する場合、端末は、当該サブフレームで定められたＰＵＣＣＨフォーマットの周期的ＣＳＩ報告をドロップ（ｄｒｏｐ）することができる。そして、当該サブフレームでＰＵＳＣＨ送信及び周期的ＣＳＩ報告ペイロードを多重化しなくてもよい。
【０３４２】
４．  ２５６ＱＡＭ支援のためのＣＳＩフィードバック方法
【０３４３】
４．１  制限されたＣＳＩ測定
【０３４４】
無線ネットワークでセル間に及ぶ干渉による影響を減らすために、ネットワーク個体間に協調動作を行うことができる。例えば、セルＡがデータを送信する特定サブフレームでは、セルＡ以外のセルは共用制御情報のみを送信し、データは送信しないように制限することによって、セルＡでデータを受信しているユーザへの干渉を最小化することができる。
【０３４５】
このような方法により、ネットワークにおいてセル間の協調を通じて特定瞬間にデータを送信するセル以外のセルでは最小限の共用制御情報のみを送信することによって、セル間に及ぶ干渉の影響を減らすことができる。
【０３４６】
そのために、上位層で２つのＣＳＩ測定サブフレーム集合ＣＣＳＩ，０及びＣＣＳＩ，１を設定する場合、端末はリソース制限測定（ＲＲＭ：Ｒｅｓｏｕｒｃｅ−Ｒｅｓｔｒｉｃｔｅｄ  Ｍｅａｓｕｒｅｍｅｎｔ）動作を行うことができる。この時、両測定サブフレーム集合に該当するＣＳＩ参照リソースは、両サブフレーム集合のうち一つにのみ属すると仮定する。
【０３４７】
次の表２５には、ＣＳＩサブフレーム集合（Ｓｕｂｆｒａｍｅ  Ｓｅｔ）を設定する上位層信号の一例を示す。
【０３４８】
【表２５】
2016530826.tif 000127
【０３４９】
表１４は、ＣＳＩサブフレーム集合を設定するために送信されるＣＱＩ報告構成（ＣＱＩ−Ｒｅｐｏｒｔ  Ｃｏｆｉｇ）メッセージの一例を示している。ここで、ＣＱＩ報告構成メッセージには、非周期的ＣＱＩ報告（ｃｑｉ−ＲｅｐｏｒｔＡｐｅｒｉｏｄｉｃ−ｒ１０）ＩＥ、ｎｏｍＰＤＳＣＨ−ＲＳ−ＥＰＲＥ−Ｏｆｆｓｅｔ  ＩＥ、周期的ＣＱＩ報告（ｃｑｉ−ＲｅｐｏｒｔＰｅｒｉｏｄｃｉ−ｒ１０）ＩＥ、ＰＭＩ−ＲＩ報告（ｐｍｉ−ＲＩ−Ｒｅｐｏｒｔ−ｒ９）ＩＥ、及びＣＳＩサブフレームパターン構成（ｃｓｉ−ｓｕｂｆｒａｍｅＰａｔｔｅｒｎＣｏｎｆｉｇ）ＩＥが含まれ得る。このとき、ＣＳＩサブフレームパターン構成ＩＥは、サブフレーム集合別に測定サブフレームパターンを示すＣＳＩ測定サブフレーム集合１情報（ｃｓｉ−ＭｅａｓＳｕｂｆｒａｍｅＳｅｔ１）ＩＥ及びＣＳＩ測定サブフレーム集合２情報（ｃｓｉ−ＭｅａｓＳｕｂｆｒａｍｅＳｅｔ２）ＩＥを含む。
【０３５０】
ここで、ＣＳＩ測定サブフレーム集合１（ｃｓｉ−ＭｅａｓＳｕｂｆｒａｍｅＳｅｔ１−ｒ１０）情報要素（ＩＥ：Ｉｎｆｏｒｍａｔｉｏｎ  Ｅｌｅｍｅｎｔ）及びＣＳＩ測定サブフレーム集合２（ｃｓｉ−ＭｅａｓＳｕｂｆｒａｍｅＳｅｔ２−ｒ１０）ＩＥは４０ビットビットマップ情報であって、各サブフレーム集合に属するサブフレームに関する情報を示す。また、非周期的ＣＱＩ報告（ＣＱＩ−ＲｅｐｏｒｔＡｐｅｒｉｏｄｉｃ−ｒ１０）ＩＥは、端末に対する非周期的ＣＱＩ報告のための設定を行うためのＩＥであり、周期的ＣＱＩ報告（ＣＱＩ−ＲｅｐｏｒｔＰｅｒｉｏｄｉｃ−ｒ１０）ＩＥは、周期的ＣＱＩ報告のための設定を行うＩＥである。
【０３５１】
ｎｏｍＰＤＳＣＨ−ＲＳ−ＥＰＲＥ−Ｏｆｆｓｅｔ  ＩＥは、
【化８８】
2016530826.tif 000128
値を示す。このとき、実際値（Ａｃｔｕａｌ  Ｖａｌｕｅ）は、
【化８９】
2016530826.tif 000129
値＊２［ｄＢ］に設定される。また、ＰＭＩ−ＲＩ報告ＩＥは、ＰＭＩ／ＩＲ報告が構成されること又は構成されないことを示す。ＥＵＴＲＡＮは、送信モードがＴＭ８、９又は１０に設定された場合にのみＰＭＩ−ＲＩ報告ＩＥを構成する。
【０３５２】
４．２  ２５６ＱＡＭ支援のためのＣＱＩテーブルの定義
【０３５３】
以下では、無線接続システムにおいて２５６ＱＡＭを支援する場合に行われるＣＳＩフィードバック方法について詳しく説明する。
【０３５４】
次の表２６は、ＬＴＥ／ＬＴＥ−Ａシステムで用いられるＣＱＩフィードバックテーブルの一例である。
【０３５５】
【表２６】
2016530826.tif 000130
【０３５６】
表２６で、ＣＱＩインデックスの状態は総１６個であって、４ビットのサイズで定義することができる。このとき、ＣＱＩインデックスは、該当する変調次数（ｍｏｄｕｌａｔｉｏｎ  ｏｒｄｅｒ）及びコードレート（ｃｏｄｅ  ｒａｔｅ）にマップされる。表２６は、現在ＬＴＥ／ＬＴＥ−Ａシステムで用いられるＣＱＩフィードバックテーブルであり、ＱＰＳＫ、１６ＱＡＭ及び６４ＱＡＭまでの変調方式を支援する。以下、本発明の実施例では、表２６に示したレガシー変調方式を支援するためのＣＱＩフィードバックテーブルを、第１ＣＱＩテーブル又はレガシーテーブルと定義する。
【０３５７】
ＬＴＥ−Ａシステム以降に設計されている無線接続システムは、下りリンクデータ伝送率を向上させるために、２５６ＱＡＭ以上の高次変調方式の導入を考慮している。下りリンクデータに対して２５６ＱＡＭを支援するためには、既存の変調方式に加えてリンク適応（ｌｉｎｋ  ａｄａｐｔａｔｉｏｎ）方式を考慮しなければならない。
【０３５８】
表２６のように、ＬＴＥ／ＬＴＥ−Ａシステムで用いられるＣＱＩフィードバックのためには、４ビットで構成されたＣＱＩフィードバックテーブルを用いる。このとき、ＭＩＭＯを支援する場合には、一番目のコードワード（ＣＷ：ＣｏｄｅＷｏｒｄ）に対しては４ビットのＣＱＩフィードバックテーブルを利用し、二番目のコードワードに対しては、一番目のＣＷに対するＣＱＩフィードバック値の差分値を３ビットで表現して送信する。
【０３５９】
例えば、表１８に示したように、ＰＵＣＣＨで送信されるＣＳＩフィードバックの場合、該当の報告タイプのペイロードはＰＵＣＣＨフォーマット２／２ａ／２ｂ、ＰＵＣＣＨフォーマット３を用いて送信される。ただし、ＰＵＣＣＨフォーマット２／２ａ／２ｂ及びＰＵＣＣＨフォーマット３の場合、リードマラーコーディング（Ｒｅｅｄ−Ｍｕｌｌｅｒ  ｃｏｄｉｎｇ）ベースのブロックコーディングを行う。このため、入力ペイロード（ｉｎｐｕｔ  ｐａｙｌｏａｄ）のサイズに制限がある。例えば、ＰＵＣＣＨフォーマット２／２ａ／２ｂである場合には１３ビット以下のペイロードサイズまで支援され、ＰＵＣＣＨフォーマット３である場合、２２ビット以下の入力ペイロードを仮定する。
【０３６０】
このような状況を考慮して、以下では、本発明の実施例で提供する２５６ＱＡＭ支援のためのＣＱＩフィードバック方法について説明する。
【０３６１】
４．２．１  ２５６ＱＡＭ支援のための第２ＣＱＩフィードバックテーブルの定義−１
【０３６２】
本発明の実施例では、２５６ＱＡＭ支援のためのＣＱＩフィードバックテーブルを新しく定義する。２５６ＱＡＭ支援のためのＣＱＩフィードバックテーブルは、第２ＣＱＩフィードバックテーブル又はニューテーブルと呼ぶことができる。以下では、第２ＣＱＩフィードバックテーブルを定義するために、既存ＣＱＩフィードバックテーブルのサイズを増加させず、既存ＣＱＩインデックスの一部を用いる２５６ＱＡＭ変調方式について説明する。
【０３６３】
次の表２７及び表２８には、第２ＣＱＩフィードバックテーブルの構成例を示す。
【０３６４】
【表２７】
2016530826.tif 000131
【０３６５】
【表２８】
2016530826.tif 000132
【０３６６】
既存ＣＱＩフィードバックテーブルのサイズを増加させない場合には、既に具現されているＣＳＩフィードバック動作を再使用することができる。すなわち、レガシーシステムとの互換性が維持されるという長所がある。
【０３６７】
第１ＣＱＩフィードバックテーブルである表２６が、スペクトル効率によってＣＱＩインデックスが増加する形態で構成されているので、２５６ＱＡＭのために借用するＣＱＩインデックスは、６４ＱＡＭで使用していたＣＱＩインデックス１０〜１５から借用することが好ましい。また、６４ＱＡＭと２５６ＱＡＭの変調方式が切り替わるスイッチングポイント（ｓｗｉｔｃｈｉｎｇ  ｐｏｉｎｔ）は、有効コードレート（ｅｆｆｅｃｔｉｖｅ  ｃｏｄｉｎｇ  ｒａｔｅ）０．６〜０．６５に該当する部分が好ましいので、ＣＱＩインデックス１３〜１５（表２７参照）又はＣＱＩインデックス１２〜１５（表２８参照）を２５６ＱＡＭ変調方式のためのＣＱＩインデックスとして使用することができる。
【０３６８】
勿論、他の方法として、６４ＱＡＭ以外の変調方式で使用していたＣＱＩインデックスを２５６ＱＡＭ変調方式を支援するために借用してもよい。
【０３６９】
例えば、次の表２９は、２５６ＱＡＭを支援するＣＱＩテーブルの他の例であり、既存の範囲外（ｏｕｔ  ｏｆ  ｒａｎｇｅ）に該当するＣＱＩインデックス（即ち、ＣＱＩ  ｉｎｄｅｘ  ０）を除いて最も低い３個のＣＱＩインデックスを除去した後、２５６ＱＡＭ  ＣＱＩインデックスを追加したＣＱＩテーブルの一例である。
【０３７０】
【表２９】
2016530826.tif 000133
【０３７１】
表３０には、２５６ＱＡＭを支援する４ビットＣＱＩフィードバックテーブルの他の例を示す。表３０は、既存のＣＱＩテーブルの最も低い３個のＣＱＩインデックスを除去した後、２５６ＱＡＭ  ＣＱＩインデックスを追加したＣＱＩテーブルの一例である。
【０３７２】
【表３０】
2016530826.tif 000134
【０３７３】
４．２．２  ２５６ＱＡＭ支援のための第２ＣＱＩフィードバックテーブルの定義−２
【０３７４】
以下では、２５６ＱＡＭ変調方式を支援するために、既存４ビットのＣＱＩフィードバックテーブルのサイズを５ビット以上に増加させる方法について説明する。この方式は、ＣＳＩに対するコーディング方式が変更される必要があるが、無線チャネル変化に対して精密なフィードバックが可能になるという長所がある。
【０３７５】
本発明の実施例では、説明の便宜上、第２ＣＱＩフィードバックテーブルのサイズを５ビットに増加させる場合について説明する。勿論、コードレート又は無線チャネル環境によってより大きいサイズを有してもよい。
【０３７６】
一般に、無線送信チャネルの変化は３０〜４０ｄＢに至るようになるので、５ビットでＣＱＩフィードバックテーブルを構成するとき、ＣＱＩインデックス間のＳＩＮＲ（Ｓｉｇｎａｌ  ｔｏ  Ｉｎｔｅｒｆｅｒｅｎｃｅ−ｐｌｕｓ−Ｎｏｉｓｅ  Ｒａｔｉｏ）差は約１ｄＢ前後に設定することが好ましい。例えば、１ｄＢのステップサイズを仮定すると、約３２ｄＢの動的範囲（ｄｙｎａｍｉｃ  ｒａｎｇｅ）を有するようになるので、無線送信チャネルの動的範囲をほとんどカバーすることができる。
【０３７７】
このとき、最も低いＣＱＩインデックス０は、サービス不可を示すｏｕｔ−ｏｆ−ｒａｎｇｅに設定されることが好ましく、ＳＩＮＲは、約−６ｄＢ乃至−７ｄＢに該当する。したがって、５ビットＣＱＩフィードバックテーブルは、１ｄＢ解像度（ｒｅｓｏｌｕｔｉｏｎ）で３２ｄＢの動的範囲を有する無線チャネルを表現することができる。また、各変調方式が切り替わるスイッチングポイントの有効コーディングレートとしては０．６〜０．６５を仮定する。以上の考慮事項を反映して構成した第２ＣＱＩテーブルは、次の表３１のとおりである。
【０３７８】
【表３１】
2016530826.tif 000135
【０３７９】
表３１は、第２ＣＱＩフィードバックテーブルの一例であって、２５６ＱＡＭを支援する５ビットＣＱＩフィードバックテーブルである。他の方法として、表３１においてＣＱＩインデックス２５〜３１を２５６ＱＡＭ変調方式に割り当ててもよい。
【０３８０】
表３１を用いる場合、既存のＭＩＭＯ送信時に二番目のＣＷのために定義された差分ＣＱＩ  ３ビット、アンテナ構成によって変わるＰＭＩ／ＲＩビット数などに対して、既存ＬＴＥ／ＬＴＥ−Ａシステムで定義された方法を用いると仮定する。
【０３８１】
特に、ＰＭＩ／ＲＩフィードバックを要求しない送信モード（ＴＭ：Ｔｒａｎｓｍｉｓｓｉｏｎ  Ｍｏｄｅ）１、２、３、７、及びＰＭＩ／ＲＩフィードバックがないＴＭ８、９、１０の場合、既存ＣＳＩフィードバック方式を再使用してもよい。これは、ＰＵＣＣＨ報告モード１−０、２−０に該当する。
【０３８２】
したがって、送信モード（ＴＭ）４、５、６、及びＰＭＩ／ＲＩフィードバックを要求するＴＭ８、９、１０では、ＰＵＣＣＨ報告モード１−１の場合にのみ５ビットサイズの第２ＣＱＩフィードバックテーブルを使用するように設定することができる。このとき、ＰＵＣＣＨ報告タイプ２／２ａ／２ｂにおいて特定アンテナ構成（ａｎｔｅｎｎａ  ｃｏｎｆｉｇｕｒａｔｉｏｎ）に対して１１ビット以上のＣＱＩフィードバックビット数が必要な場合、無線接続システムでは、拡張ＣＰのＡＣＫ／ＮＡＣＫと多重化されるＰＵＣＣＨフォーマット２ｂ又はＰＵＣＣＨフォーマット３を使用するように設定することができる。
【０３８３】
次の表３２には、２５６ＱＡＭを支援する５ビットのＣＱＩフィードバックテーブルの他の例を示す。
【０３８４】
【表３２−１】
2016530826.tif 000136
【表３２−２】
2016530826.tif 000137
【０３８５】
４．３  ２５６ＱＡＭ支援のためのＣＳＩ報告方法−１
【０３８６】
上述した４．２節では、２５６ＱＡＭ支援のために新しく定義したＣＱＩフィードバックテーブル（表２７乃至表３２）について説明した。したがって、ＣＱＩインデックスを含むＣＳＩフィードバックをＰＵＣＣＨ及び／又はＰＵＳＣＨを介して行う場合、基地局及び／又は端末は、新しく定義したＣＱＩフィードバックテーブルのみを用いてＣＳＩ報告を行うことができる。
【０３８７】
すなわち、端末は、ＭＩＭＯ送信を支援するかしないかにかかわらず、４．２節で説明した４ビット又は５ビットのＣＱＩフィードバックテーブルを用いてＣＱＩインデックスを送信することができる。
【０３８８】
したがって、端末は特定ＣＳＩ報告の瞬間に１１ビット以上のＣＳＩペイロードを報告しないように設定することができる。この場合、ＣＳＩ送信はドロップされる。
【０３８９】
４．４  ２５６ＱＡＭ支援のためのＣＳＩ報告方法−２
【０３９０】
端末がＰＵＣＣＨを用いてＣＳＩを報告する時、ＭＩＭＯ送信を支援しない送信モードの場合、最大６ビットのＣＳＩまで送信することができ、ＭＩＭＯ送信を支援する送信モード（ＴＭ）の場合、１１ビットまでのＣＳＩをＰＵＣＣＨで送信することができる。４．２節で説明したとおり、２５６ＱＡＭのＣＱＩフィードバックテーブルを表現するために４ビット又は５ビットのＣＱＩインデックスを使用する場合、ＭＩＭＯ送信を支援しないＴＭではＰＵＣＣＨを介してＣＳＩ送信することに問題がない。しかし、ＭＩＭＯ送信を支援するＴＭではＣＳＩ情報ビットのサイズが１１ビットを超えるので、ＣＳＩ報告を行うことに問題が発生する。
【０３９１】
この場合、無線接続システムでＭＩＭＯ送信を行わないＴＭの場合、ＣＳＩ報告のために表２６の第１ＣＱＩフィードバックテーブルを利用し、ＭＩＭＯ送信を支援するＴＭの場合、表２７乃至表３２の第２ＣＱＩフィードバックテーブルを利用するように設定することができる。
【０３９２】
４．５  ２５６ＱＡＭ支援のためのＣＳＩ報告方法−３
【０３９３】
以下では、ＬＴＥ／ＬＴＥ−Ａシステムで使用する第１ＣＱＩフィードバックテーブル（又は、レガシーテーブル）と２５６ＱＡＭを支援するために定義した第２ＣＱＩフィードバックテーブルを共に使用する場合について説明する。
【０３９４】
図１７は、本発明の実施例であり、上りリンクチャネルを介してＣＳＩを報告する方法の一例を示す図である。
【０３９５】
図１７で、端末（ＵＥ）及び基地局（ｅＮＢ）がそれぞれ第１ＣＱＩフィードバックテーブル及び第２ＣＱＩフィードバックテーブルを維持していると仮定する。このとき、第１ＣＱＩフィードバックテーブルは、表２５のとおりであり、レガシー端末のためのＣＱＩフィードバックインデックスを定義する。また、第２ＣＱＩフィードバックテーブルは、表２６乃至表２８のとおりであり、２５６ＱＡＭを支援する端末のためのＣＱＩフィードバックインデックスを定義する。勿論、表２６乃至表２８の他、本発明の実施例で説明した２５６ＱＡＭを支援するように構成されたＣＱＩフィードバックテーブルであればいずれも第２ＣＱＩフィードバックテーブルとして用いることができる。
【０３９６】
図１７を参照すると、端末は、基地局との初期接続の後に、２５６ＱＡＭを支援するか否かを交渉するための端末性能交渉過程を基地局と行う（Ｓ１７１０）。
【０３９７】
Ｓ１７１０段階で、端末及び基地局は互いに２５６ＱＡＭを支援することを確認し、２５６ＱＡＭを支援するための様々なパラメータ及び／又はフィールドを交換したと仮定する。
【０３９８】
その後、基地局は、２５６ＱＡＭで構成される下りリンクデータを送信する必要があると、まず、端末に２５６ＱＡＭの使用を指示する２５６ＱＡＭ指示子又は第２ＣＱＩフィードバックテーブルを指示するテーブル識別子を含む物理層信号（例、ＰＤＣＣＨ信号及び／又はＥＰＤＣＣＨ信号）又は上位層信号（例えば、ＭＡＣ信号又はＲＲＣ信号など）を、端末に送信することができる（Ｓ１７２０）。
【０３９９】
Ｓ１７２０段階で、２５６ＱＡＭの使用を指示する２５６ＱＡＭ指示子又は第２ＣＱＩフィードバックテーブル識別子を受信した端末は、後に基地局から送信される下りリンクデータが２５６ＱＡＭで変調され得るということを認識することができる。
【０４００】
その後、基地局は、チャネル状態情報を取得するために、上りリンクスケジューリング情報を含むＰＤＣＣＨ／ＥＰＤＣＣＨ信号を端末に送信する。この時、ＰＤＣＣＨ／ＥＰＤＣＣＨ信号にはＣＳＩ要請フィールドが含まれ、周期的又は非周期的ＣＳＩ要請を指示することができる（Ｓ１７３０）。
【０４０１】
端末は、基地局と接続されたチャネルに対してチャネル状態情報を取得するためにチャネル測定過程を行う（Ｓ１７４０）。
【０４０２】
Ｓ１７２０段階で２５６ＱＡＭの使用を指示する２５６ＱＡＭ指示子を受信した端末は、Ｓ１７４０段階で測定したチャネル状態に関する情報に基づいて第２ＣＱＩフィードバックテーブルから適切なＣＱＩインデックスを選択する。その後、端末は、選択したＣＱＩインデックスを、上記上りリンクスケジューリング情報で指示する上りリンクチャネルを介して、基地局に送信することができる。この時、上りリンクチャネルは、ＰＵＣＣＨ又はＰＵＳＣＨであってもよい（Ｓ１７５０）。
【０４０３】
ＣＱＩインデックスが２５６ＱＡＭ使用が可能であることを示すと、基地局は、２５６ＱＡＭ及び適切なコーディングレートを指示するＩＭＣＳを含むＰＤＣＣＨ信号及び／又はＥＰＣＣＨ信号を端末に送信する。端末は、受信したＩＭＣＳによって２５６ＱＡＭを支援する送信ブロックサイズ（ＴＢＳ：Ｔｒａｎｓｐｏｒｔ  Ｂｌｏｃｋ  Ｓｉｚｅ）を導出することができる（Ｓ１７６０）。
【０４０４】
基地局は、ＩＭＣＳを用いて端末に知らせた変調次数及びＴＢＳによって下りリンクデータ（例えば、ＤＬ−ＳＣＨ信号）を変調及び送信する。また、端末は、Ｓ１７６０段階で受信したＩＭＣＳに基づいて２５６ＱＡＭで変調された下りリンクデータを受信及び復調する（Ｓ１７７０）。
【０４０５】
図１７の他の実施例として、ＰＵＣＣＨを用いてＣＳＩ報告を行う場合、５ビットのＣＱＩインデックスを使用すると、特定報告の瞬間にＰＵＣＣＨで送信可能なＣＳＩ情報ビットのサイズを超える問題が発生しうる。この場合には、端末は当該ＣＱＩインデックスを非周期的ＣＳＩ報告を用いて（すなわち、ＰＵＳＣＨで）基地局に送信することができる。
【０４０６】
図１８は、本発明の実施例であり、ＰＵＳＣＨを介してＣＳＩを報告する方法の一例を示す図である。
【０４０７】
図１８で、端末（ＵＥ）及び基地局（ｅＮＢ）はそれぞれ、第１ＣＱＩフィードバックテーブル（例えば、表２５）及び第２ＣＱＩフィードバックテーブル（例えば、表２６乃至表２８）を維持していると仮定する。
【０４０８】
図１８を参照すると、端末は、基地局との初期接続の後に、２５６ＱＡＭを支援するか否かを交渉するための端末性能交渉過程を基地局と行う（Ｓ１８１０）。
【０４０９】
Ｓ１８１０段階で、端末及び基地局は互いに２５６ＱＡＭを支援するものと確認し、２５６ＱＡＭを支援するための様々なパラメータ及び／又はフィールドを交換したと仮定する。
【０４１０】
その後、基地局は、２５６ＱＡＭで構成される下りリンクデータを送信する必要があると、まず、端末に２５６ＱＡＭの使用を指示する２５６ＱＡＭ指示子又は第２ＣＱＩフィードバックテーブルを指示するテーブル識別子を含む物理層信号（例、ＰＤＣＣＨ信号及び／又はＥＰＤＣＣＨ信号）又は上位層信号（例えば、ＭＡＣ信号又はＲＲＣ信号など）を、端末に送信することができる（Ｓ１８２０）。
【０４１１】
Ｓ１８２０段階で２５６ＱＡＭの使用を指示する２５６ＱＡＭ指示子又は第２ＣＱＩフィードバックテーブル識別子を受信した端末は、後に基地局から送信される下りリンクデータが２５６ＱＡＭで変調され得るということを認識する。
【０４１２】
その後、基地局は、チャネル状態情報を要請するために、上りリンクスケジューリング情報を含むＰＤＣＣＨ／ＥＰＤＣＣＨ信号を端末に送信する。この時、ＰＤＣＣＨ／ＥＰＤＣＣＨ信号にはＣＳＩ要請フィールドが含まれ、周期的又は非周期的ＣＳＩ要請を指示することができる（Ｓ１８３０）。
【０４１３】
端末は、基地局と接続されたチャネルに対してチャネル状態情報を取得するためにチャネル測定過程を行う（Ｓ１８４０）。
【０４１４】
Ｓ１８２０段階で２５６ＱＡＭの使用を指示する２５６ＱＡＭ指示子を受信した端末は、Ｓ１８４０段階で測定したチャネル状態情報に基づいて、第２ＣＱＩフィードバックテーブルから適切なＣＱＩインデックスを選択する。その後、端末は、選択したＣＱＩインデックスを、非周期的に送信されるＰＵＳＣＨ信号を用いて基地局に送信する。仮に、Ｓ１８２０段階で２５６ＱＡＭ指示子が２５６ＱＡＭが使用されないことを示す場合、端末は、第１ＣＱＩフィードバックテーブルからＣＱＩインデックスを選択し、ＰＵＣＣＨを介して基地局にＣＳＩを周期的に報告することができる（Ｓ１８５０）。
【０４１５】
ＣＱＩインデックスが２５６ＱＡＭ使用が可能であることを示すと、基地局は、２５６ＱＡＭ及び適切なコーディングレートを指示するＩＭＣＳを含むＰＤＣＣＨ信号及び／又はＥＰＣＣＨ信号を端末に送信する。端末は、受信したＩＭＣＳによって、２５６ＱＡＭを支援する送信ブロックサイズ（ＴＢＳ：Ｔｒａｎｓｐｏｒｔ  Ｂｌｏｃｋ  Ｓｉｚｅ）を導出することができる（Ｓ１８６０）。
【０４１６】
基地局は、ＩＭＣＳを用いて端末に知らせた変調次数及びＴＢＳによって下りリンクデータ（例えば、ＤＬ−ＳＣＨ信号）を変調及び送信する。また、端末は、Ｓ１８６０段階で受信したＩＭＣＳに基づいて２５６ＱＡＭで変調された下りリンクデータを受信及び復調する（Ｓ１８７０）。
【０４１７】
図１９は、本発明の実施例であり、ＰＵＳＣＨを介してＣＳＩを報告する方法の他の例を示す図である。
【０４１８】
図１９で説明する本発明の実施例は、基本的に図１８の実施例と同様であり、その重複する部分についての説明は省略する。以下では、図１８と異なる部分について説明する。
【０４１９】
２５６ＱＡＭを支援する端末は、２５６ＱＡＭを用いるか否か、及びいずれのＣＱＩテーブルを用いるかに関する情報を基地局に送信することができる。すなわち、端末は、Ｓ１９４０段階で測定したチャネル測定結果を用いて、２５６ＱＡＭを用いるか否かを決定することができる（Ｓ１９５０）。
【０４２０】
例えば、チャネル状況が２５６ＱＡＭを用いる程度に良好な場合、２５６ＱＡＭを支援する第２ＣＱＩフィードバックテーブルを用いてＣＳＩ報告を行い、２５６ＱＡＭを用いる程度に良好でない場合には、第１ＣＱＩフィードバックテーブルを用いてＣＳＩ報告を行うことができる。この時、端末は、自身の用いるＣＱＩフィードバックテーブルに対する識別子をＣＳＩ報告と併せて基地局に送信する（Ｓ１９６０）。
【０４２１】
Ｓ１９６０段階で端末が第１ＣＱＩフィードバックテーブルを用いる場合、当該ＣＳＩ報告をＰＵＣＣＨ及び／又はＰＵＳＣＨで行うことができ、第２ＣＱＩフィードバックテーブルを用いる場合、当該ＣＳＩ報告をＰＵＳＣＨで行うことができる。
【０４２２】
他の実施例として、端末がＰＵＣＣＨでＣＱＩフィードバックをする場合には、常に第１ＣＱＩフィードバックテーブルからＣＱＩインデックスを選択し、ＰＵＳＣＨでＣＱＩフィードバックをする場合には、常に第２ＣＱＩフィードバックテーブルからＣＱＩインデックスを選択するように設定することによって、いずれのフィードバックテーブルが用いられるかを暗示的に基地局に知らせることができる。この場合、基地局は、ＰＵＣＣＨを介してＣＳＩが報告されたとき、第１ＣＱＩフィードバックテーブルからＣＱＩインデックスを解釈し、ＰＵＳＣＨを介してＣＳＩが報告されたときには、第２ＣＱＩフィードバックテーブルからＣＱＩインデックスを解釈することができる。このため、端末は、Ｓ１９６０段階のＣＱＩフィードバックテーブルに対する識別子を送信しなくてもよい。
【０４２３】
以降のＳ１９７０段階及びＳ１９８０段階に関する説明は、図１８のＳ１８６０及びＳ１８７０段階を参照する。
【０４２４】
４．６  ２５６ＱＡＭ支援のためのＣＳＩ報告方法−４
【０４２５】
図１７乃至図１９のＳ１７４０段階、Ｓ１８４０段階及びＳ１９４０段階におけるチャネル測定がＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）及びＣＳＩ−ＩＭ（Ｃｈａｎｎｅｌ  Ｓｔａｔｅ  Ｉｎｆｏｒｍａｔｉｏｎ−Ｉｎｔｅｒｆｅｒｅｎｃｅ  Ｍｅａｓｕｒｅｍｅｎｔ）を用いて行われる場合、２５６ＱＡＭを支援する端末は、ＣＳＩプロセス（ｐｒｏｃｅｓｓ）別にＣＱＩフィードバックテーブルを選択するように構成されてもよい。
【０４２６】
又は、表２６乃至表２８に説明した２５６ＱＡＭを支援するＣＱＩフィードバックテーブルをＣＳＩサブセット（ｓｕｂｓｅｔ）別に設定することができる。これは、ＣＳＩサブセット別に干渉環境が大きく異なり、特定ＣＳＩサブセットには２５６ＱＡＭのような高いＳＩＮＲを要求する変調方式が支援されないことがあるためである。ここで、ＣＳＩサブセットは、端末に構成された一つ以上のＣＳＩサブフレーム集合を意味する。
【０４２７】
この時、端末は、設定された一つ以上のＣＳＩプロセス又はＣＳＩサブセットに対してＣＳＩ報告を行うが、同じＣＳＩ  ＲＳリソースに対して、第１ＣＱＩフィードバックテーブルと第２ＣＱＩフィードバックテーブルをＣＳＩプロセス又はＣＳＩサブセットに対してそれぞれ設定することができる。
【０４２８】
したがって、端末の一つ以上のＣＳＩプロセスに対するＣＳＩ報告を受信した基地局は、ＣＳＩ報告によるＭＣＳ情報をＰＤＣＣＨ信号のＤＣＩに含めて送信することができる。この時、基地局は、一部のＣＳＩプロセスが２５６ＱＡＭを支援しない第１ＣＱＩフィードバックテーブルを使用したとしても、チャネル状況によって２５６ＱＡＭを指示するＭＣＳインデックス（ＩＭＣＳ）を端末に送信し、２５６ＱＡＭで変調された下りリンクデータを送信することができる。
【０４２９】
４．７  ２５６ＱＡＭを支援するためのＣＳＩ報告方法−５
【０４３０】
本発明の実施例では、ＴＭモード１−９のＣＳＩサブフレーム集合別にＣＱＩテーブルを設定することができる。ＴＭ１０の場合には、共通のサブフレーム別に同じＣＱＩテーブルを用いる。
【０４３１】
すなわち、本発明では、２５６ＱＡＭを支援するＣＱＩフィードバックテーブルをＣＳＩサブセット（ＣＳＩ  ｓｕｂｓｅｔ）別に設定することができる。これは、ＣＳＩサブセット別に干渉環境が大きく異なり、特定ＣＳＩサブセットには２５６ＱＡＭのような高いＳＩＮＲを要求する変調方式が支援されないことがあるためである。ここで、ＣＳＩサブセットは、端末に構成された一つ以上のＣＳＩサブフレーム集合（ＣＳＩ  ｓｕｂｆｒａｍｅ  ｓｅｔ）を意味する。
【０４３２】
言い換えると、セルが協調して特定セルに干渉を少なく及ぼすように最小限の共用制御信号だけを送信するサブフレームの場合、２５６ＱＡＭ変調方式を利用し得る程度のＳＩＮＲを仮定することができる。しかし、そうでないサブフレームの場合には、干渉の影響が大きくなるので、２５６ＱＡＭを利用し得る程度のＳＩＮＲを期待できなくなる。
【０４３３】
したがって、端末に構成されたＣＳＩサブセット別に２５６ＱＡＭ  ＣＱＩフィードバックテーブルを使用するか否かを設定することによって、効率的に２５６ＱＡＭを利用することができる。次の表３３には、ＣＳＩサブセット別に２５６ＱＡＭ  ＣＱＩフィードバックテーブルを設定する上位層シグナリング（ＣＱＩ報告構成メッセージ）の一例を示す。
【０４３４】
【表３３】
2016530826.tif 000138
【０４３５】
表３３のＣＱＩ報告構成メッセージは、ＣＳＩサブセット別に２５６ＱＡＭ  ＣＱＩフィードバックテーブルを設定するために送信される。このとき、ＣＱＩ報告構成メッセージは、ＣＳＩサブフレームパターン構成（ｃｓｉ−ＳｕｂｆｒａｍｅＰａｔｔｅｒｎＣｏｎｆｉｇ−ｒ１２）フィールド、ＣＳＩ測定サブフレーム集合（ｃｓｉ−ＭｅａｓＳｕｂｆｒａｍｅＳｅｔ−ｒ１２）フィールド、ＣＱＩ報告（ｃｑｉ−ＲｅｐｏｒｔＢｏｔｈ−ｒ１２）フィールド、非周期的ＣＱＩ報告（ｃｑｉ−ＲｅｐｏｒｔＡｐｅｒｉｏｄｉｃ−ｖ１２ｘ０）フィールド及び選択的ＣＱＩテーブル（ａｌｔＣＱＩ−Ｔａｂｌｅ−ｒ１２）フィールドのうち一つ以上を含むことができる。
【０４３６】
この時、選択的ＣＱＩテーブル（ａｌｔＣＱＩ−Ｔａｂｌｅ−ｒ１２）フィールドは、周期的及び非周期的ＣＳＩ報告の両方に対して選択的にＣＱＩテーブルの適用可能性を指示する。すなわち、端末は、ＣＱＩテーブル選択フィールドによって、ＣＳＩサブセット別に２５６ＱＡＭを支援するＣＱＩテーブル（例えば、表２７乃至表３２）が適用され得るか否かを確認することができる。
【０４３７】
ＣＱＩテーブル選択フィールドは、全サブフレーム（ａｌｌＳｕｂｆｒａｍｅｓ−ｒ１２）、ＣＳＩサブフレーム集合１（ｃｓｉ−ＳｕｂｆｒａｍｅＳｅｔ１−ｒ１２）、ＣＳＩサブフレーム集合２（ｃｓｉ−ＳｕｂｆｒａｍｅＳｅｔ２−ｒ１２）、及びスペア（ｓｐａｒｅ）値を含むことができる。ここで、‘全サブフレーム’は、端末に割り当てられた全てのサブフレームで選択的なＣＱＩテーブルが適用可能であることを示し、‘ＣＳＩサブフレーム集合１’は、ＣＳＩサブフレーム集合１に対して選択的なＣＱＩテーブルが適用可能であることを示し、‘ＣＳＩサブフレーム集合２’は、ＣＳＩサブフレーム集合１に対して選択的なＣＱＩテーブルが適用可能であることを示す。
【０４３８】
ＥＵＴＲＡＮは、送信モードがＴＭ１乃至ＴＭ９範囲内で設定された場合にのみ‘ＣＳＩサブフレーム集合１’及び‘ＣＳＩサブフレーム集合２’値を設定し、ＣＳＩサブフレームパターン構成フィールドが構成され、両ＣＳＩサブフレーム集合に対して異なるＣＱＩテーブルが適用され得る。ＥＵＴＲＡＮは、送信モードがＴＭ１乃至ＴＭ９でない場合、端末に対して‘全サブフレーム’値を設定する。
【０４３９】
仮に、ＣＱＩ報告構成メッセージ内に選択的ＣＱＩテーブル（ａｌｔＣＱＩ−Ｔａｂｌｅ−ｒ１２）フィールドが存在しないと、端末は、表２５のＣＱＩテーブル（すなわち、第１ＣＱＩテーブル）を全てのサブフレーム及びＣＳＩプロセスに利用することができる。
【０４４０】
したがって、端末は、設定された複数個のＣＳＩプロセスに対してＣＳＩ報告を行うが、同じＣＳＩ  ＲＳリソースに対して２５６ＱＡＭを支援する第２ＣＱＩテーブルと２５６ＱＡＭを支援しない第１ＣＱＩテーブルをＣＳＩプロセスにそれぞれ設定することが可能になる。
【０４４１】
ＣＳＩ−ＲＳ及びＣＳＩ−ＩＭを用いてＣＳＩ報告を行う場合、２５６ＱＡＭを支援するＣＱＩフィードバックテーブルはＣＳＩプロセス（ＣＳＩ  ｐｒｏｃｅｓｓ）別に設定することができる。
【０４４２】
端末から複数個のＣＳＩプロセスに対する報告を受けた基地局は、当該端末のＭＣＳ情報をＤＣＩに含めて送信することができる。この時、一部のＣＳＩプロセスが２５６ＱＡＭを支援しない第１ＣＱＩテーブルを使用したとしても、基地局は、２５６ＱＡＭを支援するＭＣＳテーブルを用いてＭＣＳ情報を送信することができる。ＭＣＳ情報はＤＣＩフォーマットに含まれて送信され、ＭＣＳインデックスを定義するＭＣＳテーブルは、２５６ＱＡＭに適合するように新しく定義した５ビットサイズのＭＣＳテーブルであるか、２５６ＱＡＭ支援のために６ビットサイズのＭＣＳテーブルであってもよい。
【０４４３】
表３３で説明したＣＱＩ報告構成メッセージは、図１７のＳ１７２０段階、図１８のＳ１８２０段階、図１９のＳ１９２０段階で併せて送信することができる。この時、端末に割り当てられたＣＳＩサブフレーム集合別にＣＳＩフィードバックテーブルがそれぞれ設定されてもよい。例えば、ＣＳＩサブフレーム集合１に対して第１ＣＳＩフィードバックテーブルが設定され、ＣＳＩサブフレーム集合２に対して第２ＣＳＩフィードバックテーブルが設定される場合を仮定する。この時、端末は、第１ＣＳＩサブフレーム集合に対してＣＱＩを測定し、設定された第１ＣＳＩフィードバックテーブル（すなわち、表２６）からＣＳＩインデックスを選択して基地局にフィードバックする。また、端末は、第２ＣＳＩサブフレーム集合に対してＣＱＩを測定し、設定された第２ＣＳＩフィードバックテーブル（すなわち、表２７乃至表３２のいずれか一つ）からＣＳＩインデックスを選択して基地局にフィードバックすることができる。
【０４４４】
具体的に、ＣＳＩを測定及び報告する動作については、図１７乃至図１９で説明した方法を参照することができる。
【０４４５】
５．  具現装置
【０４４６】
図２0に説明する装置は、図１乃至図２２で説明した方法を具現できる手段である。
【０４４７】
端末（ＵＥ：Ｕｓｅｒ  Ｅｑｕｉｐｍｅｎｔ）は、上りリンクでは送信端として動作し、下りリンクでは受信端として動作することができる。また、基地局（ｅＮＢ：ｅ−Ｎｏｄｅ  Ｂ）は、上りリンクでは受信端として動作し、下りリンクでは送信端として動作することができる。
【０４４８】
すなわち、端末及び基地局は、情報、データ及び／又はメッセージの送信及び受信を制御するためにそれぞれ送信器２0４０，２0５０、及び受信器２06０，２0７０を備えることができ、情報、データ及び／又はメッセージを送受信するための一つ以上のアンテナ２0００，２0１０などを備えることができる。
【０４４９】
また、端末及び基地局はそれぞれ、上述した本発明の実施例を行うためのプロセッサ２0２０，２0３０、及びプロセッサの処理過程を臨時的に又は持続的に記憶できるメモリ２0８０，２0９０を備えることができる。
【０４５０】
上述した端末及び基地局装置の構成成分及び機能を用いて本願発明の実施例を実行することができる。例えば、基地局及び／又は端末のプロセッサは、上述した１節乃至４節に開示された方法を組み合わせて、２５６ＱＡＭを支援しない第１ＣＱＩフィードバックテーブル及び／又は２５６ＱＡＭを支援するための第２ＣＱＩフィードバックテーブルを維持及び管理することができる。また、基地局は、２５６ＱＡＭを使用するか否かを端末に知らせた後、２５６ＱＡＭで変調された下りリンクデータを送信することができる。また、端末は、下りリンクデータ受信の後、ＣＳＩ報告時に第２ＣＱＩフィードバックテーブルから選択したＣＱＩインデックスを基地局に送信することができる。それらの詳細な方法は、１節乃至４節の説明を参照されたい。また、端末のプロセッサは、図１６で説明した構成をさらに含んでもよい。
【０４５１】
端末及び基地局に含まれた送信器及び受信器は、データ送信のためのパケット変復調機能、高速パケットチャネルコーディング機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャネル多重化機能を実行することができる。また、図２0の端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールをさらに備えることができる。ここで、送信器及び受信器は、それぞれ、送信器及び受信器と呼ぶことができ、併せて用いられる場合にはトランシーバーと呼ぶこともできる。
【０４５２】
一方、本発明で端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（登録商標）（Ｇｌｏｂａｌ  Ｓｙｓｔｅｍ  ｆｏｒ  Ｍｏｂｉｌｅ）フォン、ＷＣＤＭＡ（登録商標）（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートパソコン、スマート（Ｓｍａｒｔ）フォン、又はマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０４５３】
ここで、スマートフォンは、移動通信端末機と個人携帯端末機の長所を組み合わせた端末機であって、移動通信端末機に、個人携帯端末機の機能である日程管理、ファックス送受信及びインターネット接続などのデータ通信機能を統合した端末機を意味できる。また、マルチモードマルチバンド端末機は、マルチモデムチップを内蔵し、携帯インターネットシステムでも、その他の移動通信システム（例えば、ＣＤＭＡ２０００システム、ＷＣＤＭＡ（登録商標）システムなど）でも作動できる端末機のことを指す。
【０４５４】
本発明の実施例は、様々な手段によって具現することができる。例えば、本発明の実施例は、ハードウェア、ファームウェア（ｆｉｒｍｗａｒｅ）、ソフトウェア又はそれらの結合などによって具現することができる。
【０４５５】
ハードウェアによる具現の場合、本発明の実施例に係る方法は、１つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０４５６】
ファームウェアやソフトウェアによる具現の場合、本発明の実施例に係る方法は、以上で説明された機能又は動作を実行するモジュール、手順又は関数などの形態として具現することもできる。例えば、ソフトウェアコードは、メモリユニット２0８０，２0９０に記憶され、プロセッサ２0２０，２0３０によって駆動されてもよい。メモリユニットは、プロセッサの内部又は外部に設けられ、公知の種々の手段によってプロセッサとデータをやり取りすることができる。
【０４５７】
本発明は、本発明の精神及び必須特徴から逸脱しない範囲で他の特定の形態として具体化されてもよい。したがって、上記の詳細な説明は、いずれの面においても制約的に解釈されてはならず、例示的なものとして考慮されなければならない。本発明の範囲は、添付した請求項の合理的解釈によって決定されなければならず、本発明の等価的範囲における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０４５８】
本発明の実施例は、様々な無線接続システムに適用可能である。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／又はＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記の様々な無線接続システムだけでなく、これら様々な無線接続システムを応用したいずれの技術分野にも適用可能である。
【図１】
2016530826.tif 000139
【図２】
2016530826.tif 000140
【図３】
2016530826.tif 000141
【図４】
2016530826.tif 000142
【図５】
2016530826.tif 000143
【図６】
2016530826.tif 000144
【図７】
2016530826.tif 000145
【図８】
2016530826.tif 000146
【図９】
2016530826.tif 000147
【図１０】
2016530826.tif 000148
【図１１】
2016530826.tif 000149
【図１２】
2016530826.tif 000150
【図１３】
2016530826.tif 000151
【図１４】
2016530826.tif 000152
【図１５】
2016530826.tif 000153
【図１６】
2016530826.tif 000154
【図１７】
2016530826.tif 000155
【図１８】
2016530826.tif 000156
【図１９】
2016530826.tif 000157
【図２０】
2016530826.tif 000158
【国際調査報告】
2016530826.tif 000159
2016530826.tif 000160
2016530826.tif 000161
2016530826.tif 000162